(57)【特許請求の範囲】
【請求項１】
ユーザ機器（ＵＥ）によって実行されるワイヤレス通信の方法であって、
前記ＵＥに関連するタイミングアドバンスパラメータおよび処理パラメータを識別することと、
前記タイミングアドバンスパラメータおよび前記処理パラメータに基づいてハイブリッド自動再送要求（ＨＡＲＱ）タイミングを動的に決定することと、ここにおいて、前記ＨＡＲＱタイミングを決定することは、オフセットタイミング構成のアップリンクタイミングにおけるＨＡＲＱ応答を送信するＵＥ応答時間、および前記ＵＥ応答時間に基づいて調整される総ＨＡＲＱ期間を決定することを含み、
サービングセルから、前記ＨＡＲＱタイミングに少なくとも部分的に基づいてダウンリンク信号の再送信を受信することと
を備える、方法。
【請求項２】
前記処理パラメータが、前記ＵＥの処理能力または前記ＵＥの処理負荷、あるいはその両方に関連付けられる、請求項１に記載の方法。
【請求項３】
タイミングアドバンスしきい値のセットを識別すること
をさらに備える、請求項１に記載の方法。
【請求項４】
タイミングアドバンスしきい値の前記セットが、ヒステリシス値を備える、ここにおいて、前記タイミングアドバンスパラメータが、前記ヒステリシス値に少なくとも部分的に基づいて設定継続時間オフセットに制限される、請求項３に記載の方法。
【請求項５】
ＨＡＲＱ同期誤差を決定することと、
前記ＨＡＲＱ同期誤差決定に少なくとも部分的に基づいてデフォルトＨＡＲＱタイミングを選択することと
をさらに備える、請求項１に記載の方法。
【請求項６】
前記タイミングアドバンスパラメータが、過去のタイミングアドバンスコマンドまたはスケジューリング要求、あるいはその両方に少なくとも部分的に基づいて識別される、請求項１に記載の方法。
【請求項７】
前記ＨＡＲＱタイミングが低レイテンシ動作に少なくとも部分的に基づく、請求項１に記載の方法。
【請求項８】
前記低レイテンシ動作が、送信時間間隔（ＴＴＩ）継続時間に少なくとも部分的に基づく、請求項７に記載の方法。
【請求項９】
前記ＨＡＲＱタイミングが、構成されたコンポーネントキャリア（ＣＣ）の数、スケジュールされたＣＣの数、構成されたＣＣの帯域幅、スケジュールされたＣＣの帯域幅、またはそれらの任意の組合せに少なくとも部分的に基づく、請求項１に記載の方法。
【請求項１０】
ワイヤレス通信のためのユーザ機器（ＵＥ）であって、
前記ＵＥに関連するタイミングアドバンスパラメータおよび処理パラメータを識別するための手段と、
前記タイミングアドバンスパラメータおよび前記処理パラメータに基づいてハイブリッド自動再送要求（ＨＡＲＱ）タイミングを動的に決定するための手段と、ここにおいて、前記ＨＡＲＱタイミングを決定するための手段は、オフセットタイミング構成のアップリンクタイミングにおけるＨＡＲＱ応答を送信するＵＥ応答時間、および前記ＵＥ応答時間に基づいて調整される総ＨＡＲＱ期間を決定するための手段を含み、
サービングセルから、前記ＨＡＲＱタイミングに少なくとも部分的に基づいてダウンリンク信号の再送信を受信するための手段と
を備える、ＵＥ。
【請求項１１】
前記処理パラメータが、前記ＵＥの処理能力または前記ＵＥの処理負荷、あるいはその両方に関連付けられる、請求項１０に記載のＵＥ。
【請求項１２】
ワイヤレス通信のためのユーザ機器（ＵＥ）であって、
プロセッサと、
前記プロセッサと電子通信しているメモリと、
前記メモリに記憶され、前記プロセッサによって実行されたとき、前記ＵＥに、
前記ＵＥに関連するタイミングアドバンスパラメータおよび処理パラメータを識別することと、
前記タイミングアドバンスパラメータおよび前記処理パラメータに基づいてハイブリッド自動再送要求（ＨＡＲＱ）タイミングを動的に決定することと、ここにおいて、前記ＨＡＲＱタイミングを決定することは、オフセットタイミング構成のアップリンクタイミングにおけるＨＡＲＱ応答を送信するＵＥ応答時間、および前記ＵＥ応答時間に基づいて調整される総ＨＡＲＱ期間を決定することを含み、
サービングセルから、前記ＨＡＲＱタイミングに少なくとも部分的に基づいてダウンリンク信号の再送信を受信することと
を行わせるように動作可能な命令と
を備える、ＵＥ。
【請求項１３】
前記処理パラメータが、前記ＵＥの処理能力または前記ＵＥの処理負荷、あるいはその両方に関連付けられる、請求項１２に記載のＵＥ。
【請求項１４】
ワイヤレス通信のためのコードを記憶する非一時的コンピュータ可読記憶媒体であって、前記コードが、
ユーザ機器（ＵＥ）に関連するタイミングアドバンスパラメータおよび処理パラメータを識別することと、
前記タイミングアドバンスパラメータおよび前記処理パラメータに基づいてハイブリッド自動再送要求（ＨＡＲＱ）タイミングを動的に決定することと、ここにおいて、前記ＨＡＲＱタイミングを決定することは、オフセットタイミング構成のアップリンクタイミングにおけるＨＡＲＱ応答を送信するＵＥ応答時間、および前記ＵＥ応答時間に基づいて調整される総ＨＡＲＱ期間を決定することを含み
サービングセルから、前記ＨＡＲＱタイミングに少なくとも部分的に基づいてダウンリンク信号の再送信を受信することと
を行うように前記ＵＥのプロセッサによって実行可能な命令を備える、非一時的コンピュータ可読記憶媒体。
【発明の詳細な説明】
【技術分野】
【０００１】
相互参照
[0001]本特許出願は、各々が本出願の譲受人に譲渡された、２０１５年４月２８日に出願された「Ｌｏｗ  Ｌａｔｅｎｃｙ  Ｏｐｅｒａｔｉｏｎ  ｗｉｔｈ  Ｄｉｆｆｅｒｅｎｔ  Ｈｙｂｒｉｄ  Ａｕｔｏｍａｔｉｃ  Ｒｅｐｅａｔ  Ｒｅｑｕｅｓｔ（ＨＡＲＱ）Ｔｉｍｉｎｇ  Ｏｐｔｉｏｎｓ」と題する、Ｃｈｅｎらによる米国仮特許出願番号第６２／１５３，８８９号、および２０１６年３月３１日に出願された「Ｌｏｗ  Ｌａｔｅｎｃｙ  Ｏｐｅｒａｔｉｏｎ  ｗｉｔｈ  Ｄｉｆｆｅｒｅｎｔ  Ｈｙｂｒｉｄ  Ａｕｔｏｍａｔｉｃ  Ｒｅｐｅａｔ  Ｒｅｑｕｅｓｔ（ＨＡＲＱ）Ｔｉｍｉｎｇ  Ｏｐｔｉｏｎｓ」と題する、Ｃｈｅｎらによる米国特許出願番号第１５／０８７，６９３号の優先権を主張する。
【０００２】
[0002]以下は、一般に、ワイヤレス通信に関し、より詳細には、異なるハイブリッド自動再送要求（ＨＡＲＱ）タイミングを用いる低レイテンシ動作に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。ワイヤレス多元接続通信システムは、場合によってはユーザ機器（ＵＥ）として知られ得る、複数の通信デバイスのための通信を各々が同時にサポートする、いくつかの基地局を含み得る。
【０００４】
[0004]場合によっては、基地局とＵＥとは、低レイテンシ物理（ＰＨＹ）レイヤタイミング構造に基づいて動作し得る。低レイテンシ動作（たとえば、短縮送信時間間隔（ＴＴＩ）に基づく動作）により、送信とＨＡＲＱ応答との間の遅延の短縮が可能になり得る。ただし、遅延の短縮はまた、ＵＥが送信を処理し、応答を決定するために利用可能な時間を短縮し得る。長い伝搬遅延（したがって、長いタイミングアドバンス）をもつＵＥの場合、この短縮された処理時間は、十分でないことがある。
【発明の概要】
【０００５】
[0005]ユーザ機器（ＵＥ）または基地局、あるいはその両方は、ＵＥのためのタイミングアドバンスパラメータと処理パラメータとを識別し得、識別されたパラメータに対するハイブリッド自動再送要求（ＨＡＲＱ）タイミングを決定し得る。たとえば、ＵＥが、長いタイミングアドバンスまたは低減された処理容量を有する場合、より長いＨＡＲＱタイミングが選定され得る。ＵＥが、基地局からダウンリンク（ＤＬ）送信を受信すると、ＵＥは、選定されたＨＡＲＱタイミングに基づいて肯定応答（ＡＣＫ）または否定応答（ＮＡＣＫ）を送り得る。基地局は、次いで、ＨＡＲＱタイミングに基づいて（ＮＡＣＫの場合は）再送信を送り得る。場合によっては、ＵＥは、特定のＨＡＲＱタイミングを要求し得るか、または更新されたタイミングアドバンスを要求し得る。ＨＡＲＱ同期が失われる場合、ＵＥおよび基地局は、長いタイミングアドバンスに基づき得る事前構成されたＨＡＲＱタイミングにデフォルト設定され得る。
【０００６】
[0006]ワイヤレス通信の方法について説明する。本方法は、ＵＥに関連するタイミングアドバンスパラメータと処理パラメータとを識別することと、タイミングアドバンスパラメータまたは処理パラメータ、あるいはその両方に少なくとも部分的に基づいてＨＡＲＱタイミングを決定することと、ＨＡＲＱタイミングに少なくとも部分的に基づいてＨＡＲＱ応答メッセージを送信することとを含み得る。
【０００７】
[0007]ワイヤレス通信のための装置について説明する。本装置は、ＵＥに関連するタイミングアドバンスパラメータと処理パラメータとを識別するための手段と、タイミングアドバンスパラメータまたは処理パラメータ、あるいはその両方に少なくとも部分的に基づいてＨＡＲＱタイミングを決定するための手段と、ＨＡＲＱタイミングに少なくとも部分的に基づいてＨＡＲＱ応答メッセージを送信するための手段とを含み得る。
【０００８】
[0008]ワイヤレス通信のためのさらなる装置について説明する。本装置は、プロセッサと、プロセッサと電子通信するメモリと、メモリに記憶され、プロセッサによって実行されたとき、装置に、ＵＥに関連するタイミングアドバンスパラメータと処理パラメータとを識別することと、タイミングアドバンスパラメータまたは処理パラメータ、あるいはその両方に少なくとも部分的に基づいてＨＡＲＱタイミングを決定することと、ＨＡＲＱタイミングに少なくとも部分的に基づいてＨＡＲＱ応答メッセージを送信することとを行わせるように動作可能な命令とを含み得る。
【０００９】
[0009]ワイヤレス通信のためのコードを記憶する非一時的コンピュータ可読媒体について説明する。本コードは、ＵＥに関連するタイミングアドバンスパラメータと処理パラメータとを識別することと、タイミングアドバンスパラメータまたは処理パラメータ、あるいはその両方に少なくとも部分的に基づいてＨＡＲＱタイミングを決定することと、ＨＡＲＱタイミングに少なくとも部分的に基づいてＨＡＲＱ応答メッセージを送信することとを行うように実行可能である命令を含み得る。
【００１０】
[0010]本開示の態様について、以下の図を参照して説明する。
【図面の簡単な説明】
【００１１】
【図１】[0011]本開示の様々な態様による、異なるハイブリッド自動再送要求（ＨＡＲＱ）タイミングを用いる低レイテンシ動作をサポートするワイヤレス通信システムの一例を示す図。
【図２】[0012]本開示の様々な態様による、異なるＨＡＲＱタイミングを用いる低レイテンシ動作をサポートするワイヤレス通信システムの一例を示す図。
【図３Ａ】[0013]本開示の様々な態様による、異なるＨＡＲＱタイミングを用いる低レイテンシ動作をサポートするオフセットタイミング構成の一例を示す図。
【図３Ｂ】本開示の様々な態様による、異なるＨＡＲＱタイミングを用いる低レイテンシ動作をサポートするオフセットタイミング構成の一例を示す図。
【図４】[0014]本開示の様々な態様による、異なるＨＡＲＱタイミングを用いる低レイテンシ動作をサポートするプロセスフローの一例を示す図。
【図５】[0015]本開示の様々な態様による、異なるＨＡＲＱタイミングを用いる低レイテンシ動作をサポートする１つまたは複数のワイヤレスデバイスのブロック図。
【図６】本開示の様々な態様による、異なるＨＡＲＱタイミングを用いる低レイテンシ動作をサポートする１つまたは複数のワイヤレスデバイスのブロック図。
【図７】本開示の様々な態様による、異なるＨＡＲＱタイミングを用いる低レイテンシ動作をサポートする１つまたは複数のワイヤレスデバイスのブロック図。
【図８】[0016]本開示の様々な態様による、異なるＨＡＲＱタイミングを用いる低レイテンシ動作をサポートするＵＥを含むシステムのブロック図。
【図９】[0017]本開示の様々な態様による、異なるＨＡＲＱタイミングを用いる低レイテンシ動作をサポートする基地局を含むシステムのブロック図。
【図１０】[0018]本開示の様々な態様による、異なるＨＡＲＱタイミングを用いる低レイテンシ動作のための方法を示す図。
【図１１】本開示の様々な態様による、異なるＨＡＲＱタイミングを用いる低レイテンシ動作のための方法を示す図。
【図１２】本開示の様々な態様による、異なるＨＡＲＱタイミングを用いる低レイテンシ動作のための方法を示す図。
【図１３】本開示の様々な態様による、異なるＨＡＲＱタイミングを用いる低レイテンシ動作のための方法を示す図。
【図１４】本開示の様々な態様による、異なるＨＡＲＱタイミングを用いる低レイテンシ動作のための方法を示す図。
【図１５】本開示の様々な態様による、異なるＨＡＲＱタイミングを用いる低レイテンシ動作のための方法を示す図。
【図１６】本開示の様々な態様による、異なるＨＡＲＱタイミングを用いる低レイテンシ動作のための方法を示す図。
【図１７】本開示の様々な態様による、異なるＨＡＲＱタイミングを用いる低レイテンシ動作のための方法を示す図。
【発明を実施するための形態】
【００１２】
[0019]場合によっては、ワイヤレスシステムは、低レイテンシ動作を利用し得る。これは、短縮送信時間間隔（ＴＴＩ）を利用することによって達成され得る。低レイテンシ動作を採用するＵＥは、他のＵＥよりも、ＨＡＲＱタイミングなどのある送信タイミングによって影響を及ぼされ得る。したがって、ＵＥに関連するタイミングアドバンスパラメータと処理パラメータとを変更することを考慮するために、ＨＡＲＱタイミングは動的に決定され、調整される必要があり得る。
【００１３】
[0020]低レイテンシ動作中に、異なるユーザ機器（ＵＥ）がアップリンクサブフレーム内で周波数多重化される場合、異なるＵＥのための受信時間が基地局において実質的に整合されるようなＵＥ固有のアップリンク（ＵＬ）タイミングアドバンス（ＴＡ）を有することが適切であり得る。すなわち、基地局により近いＵＥは、より短い伝搬遅延を有することに基づいてより小さいＴＡを有し得る。
【００１４】
[0021]したがって、場合によっては、所与のＴＴＩをもつすべてのＵＬトラフィックがほぼ同時に基地局に到着するようなシステムが設計され得る。これにより、同じサブフレーム中で異なるＵＬトラフィックを周波数多重化するときに、基地局が干渉なしに単一の高速フーリエ変換（ＦＦＴ）処理を使用することが可能になり得る。低レイテンシＵＬ  ＴＡは、低レイテンシトラフィックが他のトラフィックと共存するとき、別様に扱われ得る。すなわち、低レイテンシトラフィックは、異なるＴＡコマンドまたは異なるＴＡループを利用し得る。たとえば、基地局は、低レイテンシトラフィックと他のトラフィックとに異なる伝搬エリアをターゲッティングし得る。この手法はまた、相互干渉を回避するために低レイテンシトラフィックと他のトラフィックとが時分割多重化され得る場合に使用され得る。
【００１５】
[0022]異なるＵＬ  ＴＡ影響を扱うために、ＤＬ送信と対応するＵＬフィードバックとの間のリンクはＵＥ固有であり得る。同様に、ＵＬ送信と次のＤＬ応答との間のリンクもＵＥ固有であり得る。すなわち、ＨＡＲＱタイミングは、ＵＥ処理能力および負荷に依存するのに加えて、各ＵＥのＵＬ  ＴＡに依存し得る。したがって、ＵＥは、基地局にそれの処理能力を示すことができる。追加または代替として、ＵＥは、それのＵＬ  ＴＡを（明示的にまたは暗黙的に）示すことができる。すなわち、ＵＥは、基地局がＨＡＲＱタイミングを相応して調整することができるように、明示的ＴＡインジケーションを送信し得る。代替的に、ＵＥは、暗黙的ＴＡインジケーションを送り得る。場合によっては、基地局は、ランダムアクセス手順メッセージの一部として、ＵＬ  ＴＡコマンドと、場合によっては、ＵＥのための応答時間オプションとを示すことができる。
【００１６】
[0023]フォールバック動作は、たとえば、ＵＥと基地局とが、たとえば、同期が失われる場合に使用し得るデフォルトのタイミング動作があるように構成され得る。場合によっては、デフォルトのタイミング動作は、ワーストケースのＵＬ  ＴＡを仮定することができる。低レイテンシブロードキャストがサポートされる場合、共通のタイミングオプション（すなわち、可能なあらゆるＵＥのためにワーストケースのＵＬ  ＴＡ）も使用され得る。基準信号依存ＴＴＩ長もサポートされ得る。
【００１７】
[0024]本開示の態様について、最初に、ワイヤレス通信システムのコンテキストで以下で説明する。次いで、異なる伝搬遅延に基づく様々なＵＬ／ＤＬオフセットタイミング構成についての具体的な例について説明する。本開示のこれらおよび他の態様について、さらに、異なるハイブリッド自動再送要求（ＨＡＲＱ）タイミングを用いる低レイテンシ動作に関係する装置図、システム図、およびフローチャートによって示し、それらを参照しながら説明する。
【００１８】
[0025]図１に、本開示の様々な態様による、ワイヤレス通信システム１００の一例を示す。ワイヤレス通信システム１００は、基地局１０５と、ユーザ機器（ＵＥ）１１５と、コアネットワーク１３０とを含む。いくつかの例では、ワイヤレス通信システム１００は、ロングタームエボリューション（ＬＴＥ）／ＬＴＥアドバンスト（ＬＴＥ−ａ）ネットワークであり得る。場合によっては、ワイヤレス通信システム１００は、低レイテンシ動作を利用し得、ＨＡＲＱタイミングは、各ＵＥ１１５のタイミングアドバンスに基づき得る。
【００１９】
[0026]基地局１０５は、１つまたは複数の基地局アンテナを介してＵＥ１１５とワイヤレスに通信し得る。各基地局１０５は、それぞれの地理的カバレージエリア１１０のための通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は固定式またはモバイルであり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５はまた、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。
【００２０】
[0027]基地局１０５は、コアネットワーク１３０と通信し、互いに通信し得る。たとえば、基地局１０５は、バックホールリンク１３２（たとえば、Ｓ１など）を通してコアネットワーク１３０とインターフェースし得る。基地局１０５は、直接的または間接的のいずれかで（たとえば、コアネットワーク１３０を通して）、バックホールリンク１３４（たとえば、Ｘ２など）を介して互いに通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５は、ｅノードＢ（ｅＮＢ）１０５と呼ばれることもある。
【００２１】
[0028]ＵＥ１１５が基地局１０５からのシステム情報を復号した後、ＵＥ１１５は、基地局１０５にランダムアクセスチャネル（ＲＡＣＨ）プリアンブルを送信し得る。これは、ＲＡＣＨメッセージ１として知られ得る。たとえば、ＲＡＣＨプリアンブルは、６４個の所定のシーケンスのセットからランダムに選択され得る。これは、基地局１０５が、システムに同時にアクセスすることを試みる複数のＵＥ１１５間で区別することを可能にし得る。基地局１０５は、アップリンク（ＵＬ）リソース許可と、タイミングアドバンスと、一時的なセル無線ネットワーク一時識別情報（Ｃ−ＲＮＴＩ）とを与えるランダムアクセス応答（ＲＡＲ）またはＲＡＣＨメッセージ２で応答し得る。次いで、ＵＥ１１５は、（ＵＥ１１５が、同じワイヤレスネットワークに前に接続されていた場合）一時的モバイル加入者識別情報（ＴＭＳＩ）またはランダム識別子とともに無線リソース制御（ＲＲＣ）接続要求またはＲＡＣＨメッセージ３を送信し得る。ＲＲＣ接続要求はまた、ＵＥ１１５が、ネットワークに接続している理由（たとえば、緊急事態、シグナリング、データ交換など）を示し得る。基地局１０５は、新しいセル無線ネットワーク一時識別情報（Ｃ−ＲＮＴＩ）を与え得る、ＵＥ１１５に宛てられた競合解消メッセージまたはＲＡＣＨメッセージ４で接続要求に応答し得る。ＵＥ１１５が、正しい識別情報をもつ競合解消メッセージを受信した場合、ＵＥ１１５は、ＲＲＣセットアップを進め得る。ＵＥ１１５が競合解消メッセージを受信しない場合（たとえば、別のＵＥ１１５との競合がある場合）、ＵＥは、新しいＲＡＣＨプリアンブルを送信することによって、ＲＡＣＨプロセスを繰り返し得る。
【００２２】
[0029]ＬＴＥにおける時間間隔は、基本時間単位（たとえば、サンプリング周期、Ｔs＝１／３０，７２０，０００秒）の倍数単位で表され得る。時間リソースは、０から１０２３にわたるシステムフレーム番号（ＳＦＮ）によって識別され得る、１０ｍｓの長さの無線フレーム（Ｔf＝３０７２００・Ｔｓ）に従って編成され得る。各フレームは、０から９までの番号を付けられた１０個の１ｍｓサブフレームを含み得る。サブフレームは、さらに２つの０．５ｍｓスロットに分割され得、その各々は、（各シンボルにプリペンドされたサイクリックプレフィックスの長さに応じて）６つまたは７つの変調シンボル期間を含んでいる。サイクリックプレフィックスを除いて、各シンボルは２０４８個のサンプル期間を含んでいる。場合によっては、サブフレームは、送信時間間隔（ＴＴＩ）としても知られる、最小のスケジューリングユニットであり得る。他の場合には、ＴＴＩは、サブフレームよりも短いことがあるか、または（たとえば、短いＴＴＩバーストにおいて、または短いＴＴＩを使用する選択されたコンポーネントキャリアにおいて）動的に選択され得る。
【００２３】
[0030]場合によっては、ＵＥ１１５は、ＵＥ１１５と基地局１０５との間の伝搬遅延を考慮するために、各送信に負のタイミングオフセット（またはタイミングアドバンス（ＴＡ））を適用し得る（すなわち、それは、ＴＴＩの開始の前に送信を送り得る）。これは、基地局１０５が異なるＵＥ１１５からの送信を実質的に同時に受信することを保証し得る。場合によっては、基地局１０５は、ＲＡＣＨ手順中にＲＡＲとともにタイミングアドバンスコマンド（ＴＡＣ）を送り得る。ＵＥ１１５は、次いで、ＴＡＣに基づいてＴＡを設定し得る。場合によっては、ＵＥ１１５は、ＴＡＣを受信した後の事前構成された時間に（たとえば、ＴＡＣに続く第６のサブフレーム中に）ＴＡを設定し得る。基地局１０５は、媒体アクセス制御（ＭＡＣ）制御要素（ＣＥ）内で後続のＴＡＣ更新を送り得る。場合によっては、ＵＥ１１５は、ＴＡＣを受信した後にＴＡタイマーを設定し得る。タイマーが別のＴＡＣを受信することなしに満了する場合、ＵＥ１１５は、それが同期外れを起こしたと決定し（したがって、それのＨＡＲＱバッファをフラッシュし、ＵＬ制御リソースを解放し）得る。
【００２４】
[0031]ワイヤレス通信システム１００は、ハイブリッド自動再送要求（ＨＡＲＱ）手順を使用して通信リンク１２５の信頼性を改善し得る。ＨＡＲＱは、（たとえば、巡回冗長検査（ＣＲＣ）を使用する）誤り検出、前方誤り訂正（ＦＥＣ）、および再送信（たとえば、自動再送要求（ＡＲＱ））の組合せを含み得る。ＨＡＲＱは、劣悪な無線状態（たとえば、信号対雑音状態）での媒体アクセス制御（ＭＡＣ）レイヤにおけるスループットを改善し得る。インクリメンタル冗長ＨＡＲＱでは、不正確に受信されたデータは、データを正常に復号することの全体的な可能性を改善するために、バッファに記憶され、後続の送信と組み合わされ得る。場合によっては、冗長ビットが送信より前に各メッセージに追加される。これは、劣悪な状態において特に有用であり得る。他の場合には、冗長ビットは各送信に追加されないが、情報を復号しようとする試みの失敗を示す否定応答（ＮＡＣＫ）を元のメッセージの送信機が受信した後に再送信される。送信、応答および再送信のチェーンは、ＨＡＲＱプロセスと呼ばれることがある。場合によっては、所与の通信リンク１２５のために限られた数のＨＡＲＱプロセスが使用され得る。場合によっては、送信と、ＨＡＲＱ応答（すなわち、それに加えて肯定応答（ＡＣＫ）または否定ＡＣＫ（ＮＡＣＫ））と、再送信との間の時間は、特定のＵＥ１１５ごとのＴＡに依存し得る。
【００２５】
[0032]場合によっては、ワイヤレス通信システム１００は、１つまたは複数の拡張コンポーネントキャリア（ｅＣＣ）を利用し得る。拡張コンポーネントキャリア（ｅＣＣ）は、フレキシブル帯域幅、異なるＴＴＩ、および変更された制御チャネル構成を含む、１つまたは複数の特徴によって特徴づけられ得る。場合によっては、ｅＣＣは、キャリアアグリゲーション（ＣＡ）構成またはデュアル接続性構成（たとえば、複数のサービングセルが準最適なバックホールリンクを有するとき）に関連付けられ得る。ｅＣＣはまた、（たとえば、２つ以上の事業者が、スペクトルを使用することを認可された場合）共有スペクトルまたは無認可スペクトルにおいて使用するために構成され得る。フレキシブルな帯域幅によって特徴づけられるｅＣＣは、全帯域幅を監視することが可能でないか、または（たとえば、電力を節約するために）限られた帯域幅を使用することを選好するＵＥ１１５によって利用され得る１つまたは複数のセグメントを含み得る。
【００２６】
[0033]場合によっては、ｅＣＣまたは低レイテンシコンポーネントキャリア（ＣＣ）は、他のＣＣとは異なるＴＴＩ長を利用し得、これは、他のＣＣのＴＴＩと比較して短縮または可変のシンボル持続時間の使用を含み得る。場合によっては、シンボル持続時間は同じままであり得るが、各シンボルは別個のＴＴＩを表し得る。いくつかの例では、ｅＣＣは、異なるＴＴＩ長に関連する複数の階層レイヤを含み得る。たとえば、ある階層レイヤにおけるＴＴＩは均一な１ｍｓサブフレームに対応し得るが、第２のレイヤでは、可変長ＴＴＩは短い持続時間シンボル期間のバーストに対応し得る。いくつかの場合には、より短いシンボル持続時間は、増加されたサブキャリア間隔にも関連付けられ得る。短縮ＴＴＩ長と併せて、ｅＣＣは、動的時分割複信（ＴＤＤ）動作を利用し得る（すなわち、動的条件に従って短いバーストのためにダウンリンク（ＤＬ）動作からアップリンク（ＵＬ）動作に切り替わり得る）。
【００２７】
[0034]フレキシブルな帯域幅および可変ＴＴＩは、修正された制御チャネル構成に関連し得る（たとえば、ｅＣＣは、ＤＬ制御情報のために拡張物理ダウンリンク制御チャネル（ｅＰＤＣＣＨ）を利用し得る）。たとえば、ｅＣＣの１つまたは複数の制御チャネルは、フレキシブルな帯域幅使用に適応するために周波数分割多重化（ＦＤＭ）スケジューリングを利用し得る。他の制御チャネル修正は、（たとえば、発展型マルチメディアブロードキャストマルチキャストサービス（ｅＭＢＭＳ）スケジューリングのための、または可変長ＵＬおよびＤＬバーストの長さを示すための）追加の制御チャネルの使用、あるいは異なる間隔で送信される制御チャネルの使用を含む。ｅＣＣは、変更されたまたは追加のＨＡＲＱ関連制御情報をも含み得る。
【００２８】
[0035]このようにして、ＵＥ１１５と基地局１０５とは、ＵＥ１１５のためのタイミングアドバンスパラメータと処理パラメータとを識別し得、識別されたパラメータに対するハイブリッド自動再送要求（ＨＡＲＱ）タイミングを決定し得る。たとえば、ＵＥ１１５が、長いタイミングアドバンスまたは低減された処理容量を有する場合、より長いＨＡＲＱタイミングが選定され得る。ＵＥ１１５が、基地局からＤＬ送信を受信すると、ＵＥは、選定されたＨＡＲＱタイミングに基づいてＡＣＫまたはＮＡＣＫを送り得る。基地局１０５は、次いで、ＨＡＲＱタイミングに基づいて（ＮＡＣＫの場合は）再送信を送り得る。場合によっては、ＵＥ１１５は、特定のＨＡＲＱタイミングを要求し得るか、または更新されたタイミングアドバンスを要求し得る。ＨＡＲＱ同期が失われる場合、ＵＥ１１５および基地局１０５は、長いタイミングアドバンスに基づき得る事前構成されたＨＡＲＱタイミングにデフォルト設定され得る。
【００２９】
[0036]図２に、本開示の様々な態様による、異なるＨＡＲＱタイミングを用いる低レイテンシ動作のためのワイヤレス通信システム２００の一例を示す。ワイヤレス通信システム２００は、図１を参照しながら説明したＵＥ１１５および基地局１０５の例であり得る、ＵＥ１１５−ａとＵＥ１１５−ｂと基地局１０５−ａとを含み得る。ワイヤレス通信システム２００に、ＵＥ１１５−ａがＵＥ１１５−ｂよりも基地局１０５−ａに近い一例を示す。したがって、通信リンク１２５−ａは、通信リンク１２５−ｂよりも短い伝搬遅延を有し得る。したがって、基地局１０５−ａは、ＵＥ１１５−ｂよりも短いＨＡＲＱ応答時間でＵＥ１１５−ａを構成し得る。
【００３０】
[0037]ワイヤレス通信システム２００は、低レイテンシ動作を利用し得る。これは、１シンボル期間のＴＴＩ（ノーマルサイクリックプレフィックス（ＣＰ）の場合は約７１μｓおよび拡張ＣＰの場合は約８３μｓ）などの短縮ＴＴＩを利用することによって達成され得る。これにより、（ＬＴＥに基づき得る）ワイヤレス通信システム２００は、低レイテンシ動作を利用しないシステムのオーバージエアＨＡＲＱレイテンシの１／１０を達成することが可能になり得る。すなわち、ＨＡＲＱレイテンシは、４ｍｓではなく約３００μｓになり得る。低レイテンシ動作は、仕様への影響を最小化し、後方互換性を改善するためにＬＴＥヌメロロジー（numerology）を再使用し得る。たとえば、低レイテンシシステムは、（ノーマルＣＰでは）１５ｋＨｚのトーン間隔と約７１μｓのシンボル持続時間とを使用し得る。これにより、低レイテンシ対応デバイスの、低レイテンシ動作が可能でないデバイスとのスムーズな統合が可能になり得る。たとえば、ワイヤレス通信システム２００は、リソースブロックレベルの多重化を介してサブフレーム内での共存を達成し得る。スモールセルとマクロセルとの両方のために低レイテンシ動作が利用され得る。
【００３１】
[0038]ＵＥ１１５−ａとＵＥ１１５−ｂとが１つまたは複数のアップリンクサブフレーム内で周波数多重化される場合、基地局１０５−ａにおけるＵＥ１１５−ａとＵＥ１１５−ｂとのための受信時間が実質的に整合されるようなＵＥ固有のＵＬ  ＴＡを有することが適切であり得る。すなわち、基地局１０５−ａにより近いＵＥ１１５−ａは、より短い伝搬遅延を有することに基づいてより小さいＴＡを有し得る。ＵＥ１１５−ｂの場合、伝搬遅延は長くなり得る。たとえば、基地局１０５−ａとＵＥ１１５−ｂとの間の１０ｋｍの距離の場合、ＴＡは約６７ｕｓになり得る。したがって、ハイブリッド自動再送要求（ＨＡＲＱ）応答のために４シンボルターンアラウンド時間を用いるＤＬ送信の場合）、ＵＥ１１５−ｂのために利用可能な処理時間は、３つのシンボルからおよそ２シンボル期間に短縮され得る。より長い距離の場合、処理時間はなお一層短縮され得る。たとえば、（２００ｕｓのＴＡを用いる）３０ｋｍの距離では、実際の処理時間は０に近接し得る（１シンボル期間よりも短くなり得る）。
【００３２】
[0039]所与のＴＴＩ内のすべてのＵＬトラフィックがほぼ同時に基地局１０５−ａに到着するようなワイヤレス通信システム２００が設計され得る。これにより、同じサブフレーム中で異なるＵＬトラフィックを周波数多重化するときに、基地局１０５−ａが干渉なしに単一の高速フーリエ変換（ＦＦＴ）処理を使用することが可能になり得る。場合によっては、低レイテンシＵＬ  ＴＡは、低レイテンシトラフィックが他のトラフィックと共存するとき、別様に扱われ得る。すなわち、低レイテンシトラフィックは、異なるＴＡコマンドまたは異なるＴＡループを利用し得る。たとえば、基地局１０５−ａは、低レイテンシトラフィックと他のトラフィックとに異なる伝搬エリアをターゲッティングし得る。この手法はまた、相互干渉を回避するために低レイテンシトラフィックと他のトラフィックとが時分割多重化され得る場合に使用され得る。
【００３３】
[0040]異なるＵＬ  ＴＡ影響を扱うために、ＤＬ送信と対応するＵＬフィードバックとの間のリンクはＵＥ固有であり得る。同様に、ＵＬ送信と次のＤＬ応答との間のリンクもＵＥ固有であり得る。すなわち、ＨＡＲＱタイミングは、ＵＥ処理能力および負荷に依存するのに加えて、各ＵＥ１１５のＵＬ  ＴＡに依存し得る。たとえば、１シンボルＴＴＩでは、ＵＥ１１５−ａは、４シンボルＨＡＲＱ応答時間のために構成され得（すなわち、ＡＣＫ／ＮＡＣＫが、送信の４シンボル後に送られ得）、またはそれが比較的少量の利用可能な処理能力を有する場合、ＵＥ１１５−ａは、５シンボル応答時間で構成され得、ＵＥ１１５−ａはまた、伝搬遅延に基づいて５シンボル応答時間で構成され得、または、それが比較的小さい処理能力（または非常に長いＵＬ  ＴＡ）を有する場合、それは、６シンボル応答時間で構成され得る。場合によっては、基地局再送信遅延（すなわち、基地局１０５−ａがＮＡＣＫを受信するのと、データのブロックを再送信するのとの間の時間）は、送信と再送信との間の総遅延が定数（たとえば、８つのシンボル）となり得るように構成され得る。他の場合には、総遅延は、ＵＥ応答時間に基づき得る。
【００３４】
[0041]ＨＡＲＱタイミングがＵＥ能力に依存する場合、ＵＥ１１５−ａとＵＥ１１５−ｂとは、基地局にそれらの処理能力を示すことができる。追加または代替として、ＵＥ１１５−ａとＵＥ１１５−ｂとは、それらのそれぞれのＵＬ  ＴＡを（明示的にまたは暗黙的に）示すことができる。すなわち、ＵＥ１１５−ａとＵＥ１１５−ｂとは、明示的ＴＡインジケーションを送信し得、したがって、基地局１０５は、ＨＡＲＱタイミングをそれに応じて調整することができる。たとえば、ＵＥ１１５−ａは、地理的カバレージエリア１１０内を迅速に移動している場合、基地局が別のタイミングアドバンスコマンドを送る前に変化するタイミングアドバンスを予期し得る。代替的に、ＵＥ１１５−ａとＵＥ１１５−ｂとは、暗黙的ＴＡインジケーションを送り得る。たとえば、ＵＥ１１５−ａとＵＥ１１５−ｂとは、所望の応答タイミングについての要求を単に送り得る。場合によっては、基地局１０５−ａは、異なる個別の応答タイミングレベルに関連するＴＡの１つまたは複数の上限および下限を１１５−ａまたはＵＥ１１５−ｂに与え得る。場合によっては、ピンポン効果を回避するためにヒステリシス値が与えられ得る。たとえば、ＵＥ１１５−ｂは、４０ｕｓのＴＡを現在有する場合、伝搬遅延が３０ｕｓのしきい値を５ｕｓ（ヒステリシス値）下回ってドロップする場合のみ（すなわち、それが２５ｕｓにドロップする場合）、所望の応答時間を示すことができる。ＴＡが上がって戻る場合、ＵＥ１１５−ｂは、ＴＡおよび／またはＨＡＲＱタイミングを調整する（または調整を要求する）前に、伝搬遅延が３０ｕｓのしきい値を５ｕｓ上回るまで（すなわち、それが３５ｕｓに増加する場合を）待ち得る。
【００３５】
[0042]場合によっては、基地局１０５−ａは、ランダムアクセス手順メッセージの一部として、ＵＥ１１５−ａとＵＥ１１５−ｂとのための、ＵＬ  ＴＡコマンドと、場合によっては、応答時間オプションとを示すことができる。たとえば、ＴＡが長い場合、基地局は、５シンボル応答時間を示し得、そうでない場合、４シンボル応答時間が示され得る。基地局１０５−ａは、次いで、他のファクタ（たとえば、過去のＴＡコマンド、スケジューリング要求、処理能力など）に基づいて後ほどＵＥ１１５−ａまたはＵＥ１１５−ｂに更新された応答時間を送り得る。
【００３６】
[0043]場合によっては、フォールバック動作は、たとえば、同期が失われる場合にＵＥ１１５−ａと基地局１０５−ａとが使用し得るようなデフォルトタイミング動作が常にあるように構成され得る。場合によっては、デフォルトのタイミング動作は、ワーストケースのＵＬ  ＴＡを仮定することができる。低レイテンシブロードキャストがサポートされる場合、共通のタイミングオプション（すなわち、可能なあらゆるＵＥ１１５のためのワーストケースのＵＬ  ＴＡ）も使用され得る。上記の説明が、様々なＴＴＩ長（たとえば、１シンボル、２シンボル、１スロットなど）に適用可能であり得ることに留意されたい。基準信号依存ＴＴＩ長もサポートされ得る。たとえば、セル固有基準信号（ＣＲＳ）ベースの低レイテンシ動作の場合、１シンボルのＴＴＩ長が使用され得、復調基準信号（ＤＭ−ＲＳ）ベースのＵＬＬの場合、（場合によっては、２シンボルのＴＴＩを用いるＤＭ−ＲＳパターンを設計することがより容易であり得るので）２シンボルのＴＴＩ長が使用され得る。上記の説明は、ＵＥ側における処理能力が制限される場合にも適用可能であり得る。たとえば、多数のコンポーネントキャリア（ＣＣ）または大きい帯域幅（たとえば、２０ＭＨｚよりも大きい）を有するＣＣでは、異なるＵＥ１１５は、異なる応答時間オプションを利用し得る。
【００３７】
[0044]図３Ａに、本開示の様々な態様による、異なるＨＡＲＱタイミングを用いる低レイテンシ動作のためのオフセットタイミング構成３００−ａの一例を示す。オフセットタイミング構成３００−ａは、図１〜図２を参照しながら説明したＵＥ１１５および基地局１０５の例であり得る基地局１０５のためのＤＬタイミング３０５−ａおよびＵＥ１１５のためのＵＬタイミング３１０−ａを表し得る。オフセットタイミング構成３００−ａは、比較的短いタイミングアドバンス（ＴＡ）３１５−ａを用いる低レイテンシＨＡＲＱ動作の一例を表し得る。
【００３８】
[0045]ＵＬタイミング３１０−ａは、対応するＵＥ１１５と基地局１０５との間の伝搬遅延を考慮するために、ＴＡ３１２−ａだけＤＬタイミング３０５−ａからオフセットされ得る。これにより、異なるＵＥ１１５からのＵＬ送信が、基地局１０５に実質的に同時に到着することが可能になり得る。オフセットタイミング構成３００−ａの例によれば、送信３１５−ａは、ＤＬサブフレームｍ中に送信され得る。オフセットタイミングと伝搬遅延とに基づいて、送信は、ＵＥ１１５のシンボルｍ＋１中にほとんど受信される。受信ＵＥ１１５は、次いで、処理期間３３０−ａ中に送信を処理し、ＨＡＲＱ応答３２０−ａ（ＡＣＫまたはＮＡＣＫのいずれか）で応答し得る。ＨＡＲＱ応答３２０−ａは、４つのシンボルのＨＡＲＱ遅延３３５−ａがあるように送信され得る。基地局１０５は、次いで、４つのシンボル後に（ｍ＋８に）再送信を送り得る。
【００３９】
[0046]図３Ｂに、本開示の様々な態様による、異なるＨＡＲＱタイミングを用いる低レイテンシ動作のためのオフセットタイミング構成３００−ｂの一例を示す。オフセットタイミング構成３００−ｂは、図１〜図２を参照しながら説明したＵＥ１１５および基地局１０５の例であり得る基地局１０５のためのＤＬタイミング３０５−ｂおよびＵＥ１１５のためのＵＬタイミング３１０−ｂを表し得る。オフセットタイミング構成３００−ｂは、比較的長いタイミングアドバンス（ＴＡ）３１２−ｂを用いる低レイテンシＨＡＲＱ動作の一例を表し得る。
【００４０】
[0047]ＵＬタイミング３１０−ｂは、対応するＵＥ１１５と基地局１０５との間の伝搬遅延を考慮するために、ＴＡ３１２−ｂだけＤＬタイミング３０５−ｂからオフセットされ得る。これにより、異なるＵＥ１１５からのＵＬ送信が、基地局１０５に実質的に同時に到着することが可能になり得る。オフセットタイミング構成３００−ｂの例によれば、送信３１５−ｂは、ＤＬサブフレームｍ中に送信され得、オフセットタイミングと伝搬遅延とに基づいて、送信は、ＵＥ１１５のシンボルｍ＋１とｍ＋２中にほとんど受信される。受信ＵＥ１１５は、次いで、処理期間３３０−ｂ中に送信を処理し、ＨＡＲＱ応答３２０−ｂ（ＡＣＫまたはＮＡＣＫのいずれか）で応答し得る。ＨＡＲＱ応答３２０−ｂは、５つのシンボルのＨＡＲＱ遅延３３５−ｂがあるように送信され得る。すなわち、ＨＡＲＱ遅延３３５−ｂは、十分な処理期間３３０−ｂを依然として与えながら、長いＴＡ３１２−ｂを考慮するために延長され得る。場合によっては、ＨＡＲＱ遅延２２５−ｂは、ＴＡ３１２−ｂと所望の処理期間３３０−ｂとの両方に基づいて（たとえば、ＵＥ処理能力と負荷とに基づいて）構成され得る。
【００４１】
[0048]基地局１０５は、次いで、４つのシンボル後に（ｍ＋８に）再送信を送り得る。すなわち、場合によっては、送信と再送信との間の総ＨＡＲＱ期間は、ＨＡＲＱ遅延３３５−ｂに依存しないことがある。他の場合には、総ＨＡＲＱ期間は、調整され得る。オフセットタイミング構成３００−ａおよびオフセットタイミング構成３００−ｂは、ＨＡＲＱタイミングが伝搬遅延または処理時間にどのように依存し得るのかの２つの例を表すが、（たとえば、１シンボル期間以外の異なるＴＴＩ長を使用する）他の例も可能であり得る。
【００４２】
[0049]図４に、本開示の様々な態様による、異なるＨＡＲＱタイミングを用いる低レイテンシ動作のためのプロセスフロー４００の一例を示す。プロセスフロー４００は、図１〜図２を参照しながら説明したＵＥ１１５および基地局１０５の例であり得る、ＵＥ１１５−ｃと基地局１０５−ｂとを含み得る。プロセスフロー４００は、ＨＡＲＱタイミングがタイミングアドバンスまたは処理時間に基づいてどのように構成され得るのかの一例を表すが、他の例も可能である。
【００４３】
[0050]４０５において、ＵＥ１１５−ｃは、基地局１０５−ｂにＲＡＣＨプリアンブルを送信し得る。４１０において、基地局１０５−ｂは、ＲＡＣＨプリアンブルに基づいてタイミングアドバンスを計算し得る。４１５において、基地局１０５−ｂはまた、ＨＡＲＱタイミングを決定し得る。したがって、基地局１０５−ｂは、ＵＥ１１５−ｃからＲＡＣＨメッセージを受信し得、したがって、タイミングアドバンスパラメータは、ＲＡＣＨメッセージに基づいて識別され得る。
【００４４】
[0051]いくつかの例では、タイミングアドバンスパラメータは、過去のタイミングアドバンスコマンドまたはスケジューリング要求、あるいはその両方に基づいて識別される。ＨＡＲＱタイミングは、低レイテンシ動作に基づき得る。いくつかの例では、低レイテンシ動作は、ＴＴＩ継続時間に基づく。ＴＴＩ継続時間は、ＴＴＩ内の基準信号タイプに基づいて決定され得る。いくつかの例では、ＨＡＲＱタイミングは、構成されたＣＣの数、スケジュールされたＣＣの数、構成されたＣＣの帯域幅、スケジュールされたＣＣの帯域幅、またはそれらの任意の組合せに基づく。
【００４５】
[0052]４２０において、基地局１０５−ｂは、タイミングアドバンスコマンドと、場合によっては、ＨＡＲＱタイミングとを含むランダムアクセス応答を送信し得る。他の場合には、ＨＡＲＱタイミングは、ＲＲＣ構成メッセージなどの別のメッセージで構成され得る。したがって、基地局１０５−ｂは、ＵＥ１１５−ｃにＨＡＲＱタイミングを示すシグナリングを送信し得る。いくつかの例では、シグナリングは、ランダムアクセス許可、タイミングアドバンスパラメータ、ＨＡＲＱタイミング、またはそれらの任意の組合せを含み得る。同様に、ＵＥ１１５−ｃは、基地局１０５−ｂからＨＡＲＱタイミングを示すシグナリングを受信し得、したがって、ＨＡＲＱタイミングは、シグナリングに基づいて決定される。いくつかの例では、シグナリングは、タイミングアドバンスパラメータを含む。
【００４６】
[0053]４２５において、ＵＥ１１５−ｃは、ＴＡを識別し得る。４３０において、ＵＥ１１５−ｃは、ＨＡＲＱタイミングを識別し得る。ＵＥ１１５−ｃと基地局１０５−ｂとは、ＵＥ１１５−ｃに関連するタイミングアドバンスパラメータと処理パラメータとを識別し得る。ＵＥ１１５−ｃと基地局１０５−ｂとは、タイミングアドバンスパラメータまたは処理パラメータ、あるいはその両方に基づいてＨＡＲＱタイミングを決定し得る。いくつかの例では、処理パラメータは、ＵＥの処理能力またはＵＥの処理負荷、あるいはその両方に関連付けられる。
【００４７】
[0054]場合によっては（図示せず）、ＵＥ１１５−ｃは、基地局１０５−ｂにＨＡＲＱタイミング選好を送信し得、したがって、ＨＡＲＱタイミングは、ＨＡＲＱタイミング選好に基づいて決定される。同様に、基地局１０５−ｂは、ＵＥ１１５−ｃからＨＡＲＱタイミング選好を受信し得る。いくつかの例では、ＨＡＲＱタイミング選好は、ＵＥ１１５−ｃからＲＡＣＨメッセージ中で受信される。場合によっては、ＨＡＲＱタイミング選好は、ランダムアクセスメッセージ中で送信される。場合によっては（図示せず）、ＵＥ１１５−ｃは、基地局１０５−ｂにタイミングアドバンス更新メッセージを送信し得、したがって、ＨＡＲＱタイミングは、タイミングアドバンス更新メッセージに基づいて決定される。
【００４８】
[0055]場合によっては、ＵＥ１１５−ｃと基地局１０５−ｂとは、タイミングアドバンスしきい値のセットを識別し得、したがって、ＨＡＲＱタイミングは、タイミングアドバンスしきい値のセットに基づいて決定される。いくつかの例では、タイミングアドバンスしきい値のセットは、ヒステリシス値を含み得、したがって、タイミングアドバンスパラメータは、ヒステリシス値に基づいて設定継続時間オフセットに制限され得る。
【００４９】
[0056]場合によっては、ＵＥ１１５−ｃと基地局１０５−ｂとは、ＨＡＲＱ同期誤差を決定し得る。ＵＥ１１５−ｃと基地局１０５−ｂとは、ＨＡＲＱ同期誤差決定に基づいてデフォルトＨＡＲＱタイミングを選択し得る。いくつかの例では、デフォルトＨＡＲＱタイミングは、サービングセルの最も長いタイミングアドバンスに基づく。
【００５０】
[0057]４３５において、基地局１０５−ｂは、ＵＥ１１５−ｃにデータのブロックを送信し得る。４４０において、ＵＥ１１５−ｃは、ＨＡＲＱタイミングに基づく遅延を使用してＡＣＫまたは、図示のように、ＮＡＣＫで応答し得る。したがって、基地局１０５−ｂは、ＨＡＲＱタイミングに従ってＵＥ１１５−ｃからＡＣＫまたはＮＡＣＫを受信し得、したがって、ＨＡＲＱ応答メッセージは、受信されたＡＣＫまたはＮＡＣＫに基づくデータパケットの再送信である。
【００５１】
[0058]４４５において、応答がＮＡＣＫである場合、基地局１０５−ｂは、データブロックを再送信し得る。したがって、ＵＥ１１５−ｃと基地局１０５−ｂとの両方は、ＨＡＲＱタイミングに基づいてＨＡＲＱ応答メッセージ（すなわち、ＡＣＫ／ＮＡＣＫまたは再送信のいずれか）を送信し得る。
【００５２】
[0059]図５に、本開示の様々な態様による、異なるＨＡＲＱタイミングを用いる低レイテンシ動作のために構成されたワイヤレスデバイス５００のブロック図を示す。ワイヤレスデバイス５００は、図１〜図４を参照しながら説明したＵＥ１１５または基地局１０５の態様の一例であり得る。ワイヤレスデバイス５００は、受信機５０５、低レイテンシＨＡＲＱタイミングモジュール５１０、または送信機５１５を含み得る。ワイヤレスデバイス５００はプロセッサをも含み得る。これらの構成要素の各々は互いに通信していることがある。
【００５３】
[0060]受信機５０５は、パケット、ユーザデータ、または様々な情報チャネルに関連する制御情報（たとえば、制御チャネル、データチャネル、および異なるＨＡＲＱタイミングを用いる低レイテンシ動作に関係する情報など）などの情報を受信し得る。情報は、低レイテンシＨＡＲＱタイミングモジュール５１０に、およびワイヤレスデバイス５００の他の構成要素に受け渡され得る。場合によっては、（たとえば、ＵＥ１１５について）、受信機５０５は、サービングセルからＨＡＲＱタイミングを示すシグナリングを受信し得、したがって、ＨＡＲＱタイミングは、シグナリングに基づいて決定される。いくつかの例では、シグナリングは、タイミングアドバンスパラメータを含む。
【００５４】
[0061]低レイテンシＨＡＲＱタイミングモジュール５１０は、ＵＥに関連するタイミングアドバンスパラメータと処理パラメータとを識別することと、タイミングアドバンスパラメータまたは処理パラメータ、あるいはその両方に基づいてＨＡＲＱタイミングを決定することと、ＨＡＲＱタイミングに基づいてＨＡＲＱ応答メッセージを送信することとを行い得る。
【００５５】
[0062]送信機５１５は、ワイヤレスデバイス５００の他の構成要素から受信された信号を送信し得る。いくつかの例では、送信機５１５は、トランシーバモジュール中で受信機５０５とコロケートされ得る。送信機５１５は、単一のアンテナを含み得るか、または送信機５１５は、複数のアンテナを含み得る。場合によっては、（たとえば基地局１０５について）、送信機５１５は、ＵＥ１１５にＨＡＲＱタイミングを示すシグナリングを送信し得る。いくつかの例では、シグナリングは、ランダムアクセス許可、タイミングアドバンスパラメータ、ＨＡＲＱタイミング、またはそれらの任意の組合せを含み得る。いくつかの例では、送信機５１５は、ＵＥ１１５にデータパケットを送信し得る。
【００５６】
[0063]図６に、本開示の様々な態様による、異なるＨＡＲＱタイミングを用いる低レイテンシ動作のためのワイヤレスデバイス６００のブロック図を示す。ワイヤレスデバイス６００は、図１〜図５を参照しながら説明したワイヤレスデバイス５００、基地局１０５、またはＵＥ１１５の態様の一例であり得る。ワイヤレスデバイス６００は、受信機５０５−ａ、低レイテンシＨＡＲＱタイミングモジュール５１０−ａ、または送信機５１５−ａを含み得る。ワイヤレスデバイス６００はまた、プロセッサを含み得る。これらの構成要素の各々は互いに通信していることがある。低レイテンシＨＡＲＱタイミングモジュール５１０−ａはまた、タイミングパラメータモジュール６０５と、ＨＡＲＱタイミングモジュール６１０と、ＨＡＲＱ応答モジュール６１５とを含み得る。
【００５７】
[0064]受信機５０５−ａは、低レイテンシＨＡＲＱタイミングモジュール５１０−ａに、およびワイヤレスデバイス６００の他の構成要素に受け渡され得る情報を受信し得る。低レイテンシＨＡＲＱタイミングモジュール５１０−ａは、図５を参照しながら説明した動作を実行し得る。送信機５１５−ａは、ワイヤレスデバイス６００の他の構成要素から受信された信号を送信し得る。
【００５８】
[0065]タイミングパラメータモジュール６０５は、図２〜図４を参照しながら説明したように、ＵＥに関連するタイミングアドバンスパラメータと処理パラメータとを識別し得る。いくつかの例では、処理パラメータは、ＵＥ１１５の処理能力またはＵＥ１１５の処理負荷、あるいはその両方に関連付けられ得る。タイミングパラメータモジュール６０５はまた、タイミングアドバンスしきい値のセットを識別し得、したがって、ＨＡＲＱタイミングは、タイミングアドバンスしきい値のセットに基づいて決定される。いくつかの例では、タイミングアドバンスしきい値のセットは、ヒステリシス値を含み、したがって、タイミングアドバンスパラメータは、ヒステリシス値に基づいて設定継続時間オフセットに制限され得る。いくつかの例では、タイミングアドバンスパラメータは、過去のタイミングアドバンスコマンドまたはスケジューリング要求、あるいはその両方に基づいて識別され得る。
【００５９】
[0066]ＨＡＲＱタイミングモジュール６１０は、図２〜図４を参照しながら説明したように、タイミングアドバンスパラメータまたは処理パラメータ、あるいはその両方に基づいてＨＡＲＱタイミングを決定し得る。ＨＡＲＱタイミングモジュール６１０はまた、ＨＡＲＱ同期誤差決定に基づいてデフォルトＨＡＲＱタイミングを選択し得る。いくつかの例では、デフォルトＨＡＲＱタイミングは、サービングセルの最も長いタイミングアドバンスに基づき得る。いくつかの例では、ＨＡＲＱタイミングは、構成されたＣＣの数、スケジュールされたＣＣの数、構成されたＣＣの帯域幅、スケジュールされたＣＣの帯域幅、またはそれらの任意の組合せに基づき得る。
【００６０】
[0067]ＨＡＲＱ応答モジュール６１５は、図２〜図４を参照しながら説明したように、ＨＡＲＱタイミングに基づいてＨＡＲＱ応答メッセージを送信し得る。ＨＡＲＱ応答モジュール６１５はまた、ＨＡＲＱタイミングに従ってＵＥ１１５からＡＣＫまたはＮＡＣＫを受信し得、したがって、ＨＡＲＱ応答メッセージは、受信されたＡＣＫまたはＮＡＣＫに基づくデータパケットの再送信である。
【００６１】
[0068]図７に、本開示の様々な態様による、異なるＨＡＲＱタイミングを用いる低レイテンシ動作のためのワイヤレスデバイス５００またはワイヤレスデバイス６００の構成要素であり得る低レイテンシＨＡＲＱタイミングモジュール５１０−ｂのブロック図７００を示す。低レイテンシＨＡＲＱタイミングモジュール５１０−ｂは、図５〜図６を参照しながら説明した低レイテンシＨＡＲＱタイミングモジュール５１０の態様の一例であり得る。低レイテンシＨＡＲＱタイミングモジュール５１０−ｂは、タイミングパラメータモジュール６０５−ａと、ＨＡＲＱタイミングモジュール６１０−ａと、ＨＡＲＱ応答モジュール６１５−ａとを含み得る。これらのモジュールの各々は、図６を参照しながら説明した機能を実行し得る。低レイテンシＨＡＲＱタイミングモジュール５１０−ｂはまた、タイミングアドバンス更新モジュール７０５と、タイミング選好モジュール７１０と、ＨＡＲＱ同期モジュール７１５と、ＲＡＣＨモジュール７２０と、低レイテンシモジュール７２５とを含み得る。
【００６２】
[0069]タイミングアドバンス更新モジュール７０５は、サービングセルにタイミングアドバンス更新メッセージを送信し得、したがって、ＨＡＲＱタイミングは、図２〜図４を参照しながら説明したように、タイミングアドバンス更新メッセージに基づいて決定される。
【００６３】
[0070]タイミング選好モジュール７１０は、サービングセルにＨＡＲＱタイミング選好を送信し得、したがって、ＨＡＲＱタイミングは、図２〜図４を参照しながら説明したように、ＨＡＲＱタイミング選好に基づいて決定される。いくつかの例では、ＨＡＲＱタイミング選好は、ランダムアクセスメッセージ中で送信され得る。タイミング選好モジュール７１０はまた、ＵＥ１１５からＨＡＲＱタイミング選好を受信し得、したがって、ＨＡＲＱタイミングは、ＨＡＲＱタイミング選好に基づいて決定される。いくつかの例では、ＨＡＲＱタイミング選好は、ＵＥ１１５からＲＡＣＨメッセージ中で受信され得る。
【００６４】
[0071]ＨＡＲＱ同期モジュール７１５は、図２〜図４を参照しながら説明したように、ＨＡＲＱ同期誤差を決定し得る。
【００６５】
[0072]ＲＡＣＨモジュール７２０は、ＵＥ１１５からＲＡＣＨメッセージを受信し得、したがって、タイミングアドバンスパラメータは、図２〜図４を参照しながら説明したように、ＲＡＣＨメッセージに基づいて識別される。
【００６６】
[0073]低レイテンシモジュール７２５は、図２〜図４を参照しながら説明したように、ＨＡＲＱタイミングが低レイテンシ動作に基づき得るように構成され得る。いくつかの例では、低レイテンシ動作は、ＴＴＩ継続時間に基づき得る。いくつかの例では、ＴＴＩ継続時間は、ＴＴＩ内の基準信号タイプに基づいて決定され得る。
【００６７】
[0074]ワイヤレスデバイス５００、ワイヤレスデバイス６００、および低レイテンシＨＡＲＱタイミングモジュール５１０の構成要素は、適用可能な機能の一部または全部をハードウェアで実行するように適応された少なくとも１つのＡＳＩＣを用いて個別にまたはまとめて実装され得る。代替的に、それらの機能は、少なくとも１つのＩＣ上で、１つまたは複数の他の処理ユニット（またはコア）によって実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【００６８】
[0075]図８に、本開示の様々な態様による、異なるＨＡＲＱタイミングを用いる低レイテンシ動作のために構成されたＵＥ１１５を含むシステム８００の図を示す。システム８００は、図１、図２および図５〜図７を参照しながら説明したワイヤレスデバイス５００、ワイヤレスデバイス６００、またはＵＥ１１５の一例であり得るＵＥ１１５−ｄを含み得る。ＵＥ１１５−ｄは、図５〜図７を参照しながら説明した低レイテンシＨＡＲＱタイミングモジュール５１０の一例であり得る低レイテンシＨＡＲＱタイミングモジュール８１０を含み得る。ＵＥ１１５−ｄは、低レイテンシモジュール８２５をも含み得る。ＵＥ１１５−ｄは、通信を送信するための構成要素と通信を受信するための構成要素とを含む、双方向音声およびデータ通信のための構成要素をも含み得る。たとえば、ＵＥ１１５−ｄは基地局１０５−ｅと双方向に通信し得る。
【００６９】
[0076]低レイテンシモジュール８２５により、ＵＥ１１５−ｄは、本明細書で説明するように、短縮ＴＴＩを使用するなど、短縮されたＨＡＲＱレイテンシを使用して通信することが可能になり得る。
【００７０】
[0077]ＵＥ１１５−ｄはまた、プロセッサ８０５と、（ソフトウェア（ＳＷ）８２０を含む）メモリ８１５と、トランシーバ８３５と、１つまたは複数のアンテナ８４０とを含み得、その各々は、（たとえば、バス８４５を介して）互いに直接または間接的に通信し得る。トランシーバ８３５は、上記で説明したように、アンテナ８４０あるいはワイヤードリンクまたはワイヤレスリンクを介して、１つまたは複数のネットワークと双方向に通信し得る。たとえば、トランシーバ８３５は、基地局１０５または別のＵＥ１１５と双方向に通信し得る。トランシーバ８３５は、パケットを変調し、変調されたパケットを送信のためにアンテナ８４０に与え、アンテナ８４０から受信されたパケットを復調するためのモデムを含み得る。ＵＥ１１５−ｄは、単一のアンテナ８４０を含み得るが、ＵＥ１１５−ｄはまた、複数のワイヤレス送信を同時に送信または受信することが可能な複数のアンテナ８４０を有し得る。
【００７１】
[0078]メモリ８１５は、ランダムアクセスメモリ（ＲＡＭ）と、読取り専用メモリ（ＲＯＭ）とを含み得る。メモリ８１５は、実行されたとき、プロセッサ８０５に、本明細書で説明する様々な機能（たとえば、異なるＨＡＲＱタイミングを用いる低レイテンシ動作など）を実行させる命令を含むコンピュータ可読、コンピュータ実行可能ソフトウェア／ファームウェアコード８２０を記憶し得る。代替的に、ソフトウェア／ファームウェアコード８２０は、プロセッサ８０５によって直接的に実行可能でないことがあるが、（たとえば、コンパイルされ実行されたとき）コンピュータに、本明細書で説明する機能を実行させ得る。プロセッサ８０５は、インテリジェントハードウェアデバイス、（たとえば、中央処理装置（ＣＰＵ）、マイクロコントローラ、特定用途向け集積回路（ＡＳＩＣ）など）を含み得る。
【００７２】
[0079]図９に、本開示の様々な態様による、異なるＨＡＲＱタイミングを用いる低レイテンシ動作のために構成された基地局１０５を含むシステム９００の図を示す。システム９００は、図１、図２および図６〜図８を参照しながら説明したワイヤレスデバイス５００、ワイヤレスデバイス６００または基地局１０５の一例であり得る基地局１０５−ｄを含み得る。基地局１０５−ｄは、図６〜図８を参照しながら説明した基地局低レイテンシＨＡＲＱタイミングモジュール９１０の一例であり得る基地局低レイテンシＨＡＲＱタイミングモジュール９１０を含み得る。基地局１０５−ｄはまた、通信を送信するための構成要素と通信を受信するための構成要素とを含む、双方向音声およびデータ通信のための構成要素を含み得る。たとえば、基地局１０５−ｄは、ＵＥ１１５−ｅまたはＵＥ１１５−ｆと双方向に通信し得る。
【００７３】
[0080]場合によっては、基地局１０５−ｄは１つまたは複数のワイヤードバックホールリンクを有し得る。基地局１０５−ｄは、コアネットワーク１３０へのワイヤードバックホールリンク（たとえば、Ｓ１インターフェースなど）を有し得る。基地局１０５−ｄはまた、基地局間バックホールリンク（たとえば、Ｘ２インターフェース）を介して、基地局１０５−ｅおよび基地局１０５−ｆなどの他の基地局１０５と通信し得る。基地局１０５の各々は、同じまたは異なるワイヤレス通信技術を使用してＵＥ１１５と通信し得る。場合によっては、基地局１０５−ｄは、基地局通信モジュール９２５を利用して１０５−ｅまたは１０５−ｆなどの他の基地局と通信し得る。いくつかの例では、基地局通信モジュール９２５は、基地局１０５のうちのいくつかの間の通信を行うために、ＬＴＥ／ＬＴＥ−Ａワイヤレス通信ネットワーク技術内のＸ２インターフェースを与え得る。いくつかの例では、基地局１０５−ｄは、コアネットワーク１３０を通じて他の基地局と通信し得る。場合によっては、基地局１０５−ｄは、ネットワーク通信モジュール９３０を通じてコアネットワーク１３０と通信し得る。
【００７４】
[0081]基地局１０５−ｄは、プロセッサ９０５と、（ソフトウェア（ＳＷ）９２０を含む）メモリ９１５と、トランシーバ９３５と、アンテナ９４０とを含み得、それらの各々は、（たとえば、バスシステム９４５を介して）直接または間接的に、互いに通信していることがある。トランシーバ９３５は、アンテナ９４０を介して、マルチモードデバイスであり得るＵＥ１１５と双方向に通信するように構成され得る。トランシーバ９３５（または基地局１０５−ｄの他の構成要素）はまた、アンテナ９４０を介して、１つまたは複数の他の基地局（図示せず）と双方向に通信するように構成され得る。トランシーバ９３５は、パケットを変調し、変調されたパケットを送信のためにアンテナ９４０に与え、アンテナ９４０から受信されたパケットを復調するように構成されたモデムを含み得る。基地局１０５−ｄは、各々が１つまたは複数の関連するアンテナ９４０をもつ、複数のトランシーバ９３５を含み得る。トランシーバは、図５の組み合わされた受信機５０５と送信機５１５との一例であり得る。
【００７５】
[0082]メモリ９１５はＲＡＭとＲＯＭとを含み得る。メモリ９１５は、実行されたとき、プロセッサ９０５に、本明細書で説明する様々な機能（たとえば、異なるＨＡＲＱタイミングを用いる低レイテンシ動作、カバレージ拡張技法を選択すること、呼処理、データベース管理、メッセージルーティングなど）を実行させるように構成された命令を含有するコンピュータ可読、コンピュータ実行可能ソフトウェアコード９２０をも記憶し得る。代替的に、ソフトウェアコード９２０は、プロセッサ９０５によって直接的に実行可能でないことがあるが、たとえば、コンパイルされ実行されると、コンピュータに、本明細書で説明する機能を実行させるように構成され得る。プロセッサ９０５は、インテリジェントハードウェアデバイス、たとえば、ＣＰＵ、マイクロコントローラ、ＡＳＩＣなどを含み得る。プロセッサ９０５は、エンコーダ、キュー処理モジュール、ベースバンドプロセッサ、無線ヘッドコントローラ、デジタル信号プロセッサ（ＤＳＰ）など、様々な専用プロセッサを含み得る。
【００７６】
[0083]基地局通信モジュール９２５は他の基地局１０５との通信を管理し得る。いくつかの場合には、通信管理モジュールが、他の基地局１０５と協働してＵＥ１１５との通信を制御するためのコントローラまたはスケジューラを含み得る。たとえば、基地局通信モジュール９２５は、ビームフォーミングまたはジョイント送信などの様々な干渉緩和技法のためのＵＥ１１５への送信のためのスケジューリングを協調させ得る。
【００７７】
[0084]図１０に、本開示の様々な態様による、異なるＨＡＲＱタイミングを用いる低レイテンシ動作のための方法１０００を示すフローチャートを示す。方法１０００の動作は、図１〜図９を参照しながら説明したように、ＵＥ１１５、基地局１０５、またはそれらの構成要素などのデバイスによって実施され得る。たとえば、方法１０００の動作は、図５〜図８を参照しながら説明したように、低レイテンシＨＡＲＱタイミングモジュール５１０によって実行され得る。いくつかの例では、デバイスは、以下で説明する機能を実行するようにデバイスの機能要素を制御するためのコードのセットを実行し得る。追加または代替として、デバイスは、専用ハードウェアを使用して、以下で説明する態様機能を実行し得る。
【００７８】
[0085]ブロック１００５において、デバイスは、図２〜図４を参照しながら説明したように、ＵＥに関連するタイミングアドバンスパラメータと処理パラメータとを識別し得る。いくつかの例では、ブロック１００５の動作は、図６を参照しながら説明したように、タイミングパラメータモジュール６０５によって実行され得る。
【００７９】
[0086]ブロック１０１０において、デバイスは、図２〜図４を参照しながら説明したように、タイミングアドバンスパラメータまたは処理パラメータ、あるいはその両方に少なくとも部分的に基づいてＨＡＲＱタイミングを決定し得る。いくつかの例では、ブロック１０１０の動作は、図６を参照しながら説明したように、ＨＡＲＱタイミングモジュール６１０によって実行され得る。
【００８０】
[0087]ブロック１０１５において、デバイスは、図２〜図４を参照しながら説明したように、ＨＡＲＱタイミングに少なくとも部分的に基づいてＨＡＲＱ応答メッセージを送信し得る。いくつかの例では、ブロック１０１５の動作は、図６を参照しながら説明したように、ＨＡＲＱ応答モジュール６１５によって実行され得る。
【００８１】
[0088]図１１に、本開示の様々な態様による、異なるＨＡＲＱタイミングを用いる低レイテンシ動作のための方法１１００を示すフローチャートを示す。方法１１００の動作は、図１〜図９を参照しながら説明したように、ＵＥ１１５などのデバイスまたはそれの構成要素によって実施され得る。たとえば、方法１１００の動作は、図５〜図８を参照しながら説明したように、低レイテンシＨＡＲＱタイミングモジュール５１０によって実行され得る。いくつかの例では、ＵＥ１１５は、以下で説明する機能を実行するようにデバイスの機能要素を制御するためのコードのセットを実行し得る。追加または代替として、ＵＥ１１５は、専用ハードウェアを使用して、以下で説明する態様機能を実行し得る。方法１１００はまた、図１０の方法１０００の態様を組み込み得る。
【００８２】
[0089]ブロック１１０５において、ＵＥ１１５は、図２〜図４を参照しながら説明したように、ＵＥに関連するタイミングアドバンスパラメータと処理パラメータとを識別し得る。いくつかの例では、ブロック１１０５の動作は、図６を参照しながら説明したように、タイミングパラメータモジュール６０５によって実行され得る。
【００８３】
[0090]ブロック１１１０において、ＵＥ１１５は、サービングセルからＨＡＲＱタイミングを示すシグナリングを受信し得、したがって、ＨＡＲＱタイミングは、図２〜図４を参照しながら説明したように、シグナリングに少なくとも部分的に基づいて決定される。いくつかの例では、ブロック１１１０の動作は、図５を参照しながら説明したように、受信機５０５によって実行され得る。
【００８４】
[0091]ブロック１１１５において、ＵＥ１１５は、図２〜図４を参照しながら説明したように、タイミングアドバンスパラメータまたは処理パラメータ、あるいはその両方に少なくとも部分的に基づいてＨＡＲＱタイミングを決定し得る。いくつかの例では、ブロック１１１５の動作は、図６を参照しながら説明したように、ＨＡＲＱタイミングモジュール６１０によって実行され得る。
【００８５】
[0092]ブロック１１２０において、ＵＥ１１５は、図２〜図４を参照しながら説明したように、ＨＡＲＱタイミングに少なくとも部分的に基づいてＨＡＲＱ応答メッセージを送信し得る。いくつかの例では、ブロック１１２０の動作は、図６を参照しながら説明したように、ＨＡＲＱ応答モジュール６１５によって実行され得る。
【００８６】
[0093]図１２に、本開示の様々な態様による、異なるＨＡＲＱタイミングを用いる低レイテンシ動作のための方法１２００を示すフローチャートを示す。方法１２００の動作は、図１〜図９を参照しながら説明したようにＵＥ１１５またはそれの構成要素によって実施され得る。たとえば、方法１２００の動作は、図５〜図８を参照しながら説明したように、低レイテンシＨＡＲＱタイミングモジュール５１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する態様機能を実行し得る。方法１２００はまた、図１０〜図１１の方法１０００、および１１００の態様を組み込み得る。
【００８７】
[0094]ブロック１２０５において、ＵＥ１１５は、図２〜図４を参照しながら説明したように、ＵＥに関連するタイミングアドバンスパラメータと処理パラメータとを識別し得る。いくつかの例では、ブロック１２０５の動作は、図６を参照しながら説明したように、タイミングパラメータモジュール６０５によって実行され得る。
【００８８】
[0095]ブロック１２１０において、ＵＥ１１５は、サービングセルにＨＡＲＱタイミング選好を送信し得、したがって、ＨＡＲＱタイミングは、図２〜図４を参照しながら説明したように、ＨＡＲＱタイミング選好に少なくとも部分的に基づいて決定される。いくつかの例では、ブロック１２１０の動作は、図７を参照しながら説明したように、タイミング選好モジュール７１０によって実行され得る。
【００８９】
[0096]ブロック１２１５において、ＵＥ１１５は、図２〜図４を参照しながら説明したように、タイミングアドバンスパラメータまたは処理パラメータ、あるいはその両方に少なくとも部分的に基づいてＨＡＲＱタイミングを決定し得る。いくつかの例では、ブロック１２１５の動作は、図６を参照しながら説明したように、ＨＡＲＱタイミングモジュール６１０によって実行され得る。
【００９０】
[0097]ブロック１２２０において、ＵＥ１１５は、図２〜図４を参照しながら説明したように、ＨＡＲＱタイミングに少なくとも部分的に基づいてＨＡＲＱ応答メッセージを送信し得る。いくつかの例では、ブロック１２２０の動作は、図６を参照しながら説明したように、ＨＡＲＱ応答モジュール６１５によって実行され得る。
【００９１】
[0098]図１３に、本開示の様々な態様による、異なるＨＡＲＱタイミングを用いる低レイテンシ動作のための方法１３００を示すフローチャートを示す。方法１３００の動作は、図１〜図９を参照しながら説明したように、ＵＥ１１５、基地局１０５、またはそれらの構成要素などのデバイスによって実施され得る。たとえば、方法１３００の動作は、図５〜図８を参照しながら説明したように、低レイテンシＨＡＲＱタイミングモジュール５１０によって実行され得る。いくつかの例では、デバイスは、以下で説明する機能を実行するようにデバイスの機能要素を制御するためのコードのセットを実行し得る。追加または代替として、デバイスは、専用ハードウェアを使用して、以下で説明する態様機能を実行し得る。方法１３００はまた、図１０〜図１２の方法１０００、１１００、および１２００の態様を組み込み得る。
【００９２】
[0099]ブロック１３０５において、デバイスは、図２〜図４を参照しながら説明したように、ＵＥに関連するタイミングアドバンスパラメータと処理パラメータとを識別し得る。いくつかの例では、ブロック１３０５の動作は、図６を参照しながら説明したように、タイミングパラメータモジュール６０５によって実行され得る。
【００９３】
[0100]ブロック１３１０において、デバイスは、タイミングアドバンスしきい値のセットを識別し得、したがって、ＨＡＲＱタイミングは、図２〜図４を参照しながら説明したように、タイミングアドバンスしきい値のセットに少なくとも部分的に基づいて決定される。いくつかの例では、ブロック１３１０の動作は、図６を参照しながら説明したように、タイミングパラメータモジュール６０５によって実行され得る。
【００９４】
[0101]ブロック１３１５において、デバイスは、図２〜図４を参照しながら説明したように、タイミングアドバンスパラメータまたは処理パラメータ、あるいはその両方に少なくとも部分的に基づいてＨＡＲＱタイミングを決定し得る。いくつかの例では、ブロック１３１５の動作は、図６を参照しながら説明したように、ＨＡＲＱタイミングモジュール６１０によって実行され得る。
【００９５】
[0102]ブロック１３２０において、デバイスは、図２〜図４を参照しながら説明したように、ＨＡＲＱタイミングに少なくとも部分的に基づいてＨＡＲＱ応答メッセージを送信し得る。いくつかの例では、ブロック１３２０の動作は、図６を参照しながら説明したように、ＨＡＲＱ応答モジュール６１５によって実行され得る。
【００９６】
[0103]図１４に、本開示の様々な態様による、異なるＨＡＲＱタイミングを用いる低レイテンシ動作のための方法１４００を示すフローチャートを示す。方法１４００の動作は、図１〜図９を参照しながら説明したように、ＵＥ１１５、基地局１０５、またはそれらの構成要素などのデバイスによって実施され得る。たとえば、方法１４００の動作は、図５〜図８を参照しながら説明したように、低レイテンシＨＡＲＱタイミングモジュール５１０によって実行され得る。いくつかの例では、デバイスは、以下で説明する機能を実行するようにデバイスの機能要素を制御するためのコードのセットを実行し得る。追加または代替として、デバイスは、専用ハードウェアを使用して、以下で説明する態様機能を実行し得る。方法１４００はまた、図１０〜図１３の方法１０００、１１００、１２００、および１３００の態様を組み込み得る。
【００９７】
[0104]ブロック１４０５において、デバイスは、図２〜図４を参照しながら説明したように、ＵＥに関連するタイミングアドバンスパラメータと処理パラメータとを識別し得る。いくつかの例では、ブロック１４０５の動作は、図６を参照しながら説明したように、タイミングパラメータモジュール６０５によって実行され得る。
【００９８】
[0105]ブロック１４１０において、デバイスは、図２〜図４を参照しながら説明したように、タイミングアドバンスパラメータまたは処理パラメータ、あるいはその両方に少なくとも部分的に基づいてＨＡＲＱタイミングを決定し得る。いくつかの例では、ブロック１４１０の動作は、図６を参照しながら説明したように、ＨＡＲＱタイミングモジュール６１０によって実行され得る。
【００９９】
[0106]ブロック１４１５において、デバイスは、図２〜図４を参照しながら説明したように、ＨＡＲＱタイミングに少なくとも部分的に基づいてＨＡＲＱ応答メッセージを送信し得る。いくつかの例では、ブロック１４１５の動作は、図６を参照しながら説明したように、ＨＡＲＱ応答モジュール６１５によって実行され得る。
【０１００】
[0107]ブロック１４２０において、デバイスは、図２〜図４を参照しながら説明したように、ＨＡＲＱ同期誤差を決定し得る。いくつかの例では、ブロック１４２０の動作は、図７を参照しながら説明したように、ＨＡＲＱ同期モジュール７１５によって実行され得る。
【０１０１】
[0108]ブロック１４２５において、デバイスは、図２〜図４を参照しながら説明したように、ＨＡＲＱ同期誤差決定に少なくとも部分的に基づいてデフォルトＨＡＲＱタイミングを選択し得る。いくつかの例では、ブロック１４２５の動作は、図６を参照しながら説明したように、ＨＡＲＱタイミングモジュール６１０によって実行され得る。
【０１０２】
[0109]図１５に、本開示の様々な態様による、異なるＨＡＲＱタイミングを用いる低レイテンシ動作のための方法１５００を示すフローチャートを示す。方法１５００の動作は、図１〜図９を参照しながら説明したように、基地局１０５またはそれの構成要素によって実施され得る。たとえば、方法１５００の動作は、図５〜図８を参照しながら説明したように、低レイテンシＨＡＲＱタイミングモジュール５１０によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する態様機能を実行し得る。方法１５００はまた、図１０〜図１４の方法１０００、１１００、１２００、１３００、および１４００の態様を組み込み得る。
【０１０３】
[0110]ブロック１５０５において、基地局１０５は、ＵＥからＲＡＣＨメッセージを受信し得、したがって、タイミングアドバンスパラメータは、図２〜図４を参照しながら説明したように、ＲＡＣＨメッセージに少なくとも部分的に基づいて識別される。いくつかの例では、ブロック１５０５の動作は、図７を参照しながら説明したように、ＲＡＣＨモジュール７２０によって実行され得る。
【０１０４】
[0111]ブロック１５１０において、基地局１０５は、図２〜図４を参照しながら説明したように、ＵＥに関連するタイミングアドバンスパラメータと処理パラメータとを識別し得る。いくつかの例では、ブロック１５１０の動作は、図６を参照しながら説明したように、タイミングパラメータモジュール６０５によって実行され得る。
【０１０５】
[0112]ブロック１５１５において、基地局１０５は、図２〜図４を参照しながら説明したように、タイミングアドバンスパラメータまたは処理パラメータ、あるいはその両方に少なくとも部分的に基づいてＨＡＲＱタイミングを決定し得る。いくつかの例では、ブロック１５１５の動作は、図６を参照しながら説明したように、ＨＡＲＱタイミングモジュール６１０によって実行され得る。
【０１０６】
[0113]ブロック１５２０において、基地局１０５は、図２〜図４を参照しながら説明したように、ＵＥにＨＡＲＱタイミングを示すシグナリングを送信し得る。いくつかの例では、ブロック１５２０の動作は、図５を参照しながら説明したように、送信機５１５によって実行され得る。
【０１０７】
[0114]ブロック１５２５において、基地局１０５は、図２〜図４を参照しながら説明したように、ＨＡＲＱタイミングに少なくとも部分的に基づいてＨＡＲＱ応答メッセージを送信し得る。いくつかの例では、ブロック１５２５の動作は、図６を参照しながら説明したように、ＨＡＲＱ応答モジュール６１５によって実行され得る。
【０１０８】
[0115]図１６に、本開示の様々な態様による、異なるＨＡＲＱタイミングを用いる低レイテンシ動作のための方法１６００を示すフローチャートを示す。方法１６００の動作は、図１〜図９を参照しながら説明したように、基地局１０５またはそれの構成要素によって実施され得る。たとえば、方法１６００の動作は、図５〜図８を参照しながら説明したように、低レイテンシＨＡＲＱタイミングモジュール５１０によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する態様機能を実行し得る。方法１６００はまた、図１０〜図１５の方法１０００、１１００、１２００、１３００、１４００、および１５００の態様を組み込み得る。
【０１０９】
[0116]ブロック１６０５において、基地局１０５は、図２〜図４を参照しながら説明したように、ＵＥに関連するタイミングアドバンスパラメータと処理パラメータとを識別し得る。いくつかの例では、ブロック１６０５の動作は、図６を参照しながら説明したように、タイミングパラメータモジュール６０５によって実行され得る。
【０１１０】
[0117]ブロック１６１０において、基地局１０５は、ＵＥからＨＡＲＱタイミング選好を受信し得、したがって、ＨＡＲＱタイミングは、図２〜図４を参照しながら説明したように、ＨＡＲＱタイミング選好に少なくとも部分的に基づいて決定される。いくつかの例では、ブロック１６１０の動作は、図７を参照しながら説明したように、タイミング選好モジュール７１０によって実行され得る。
【０１１１】
[0118]ブロック１６１５において、基地局１０５は、図２〜図４を参照しながら説明したように、タイミングアドバンスパラメータまたは処理パラメータ、あるいはその両方に少なくとも部分的に基づいてＨＡＲＱタイミングを決定し得る。いくつかの例では、ブロック１６１５の動作は、図６を参照しながら説明したように、ＨＡＲＱタイミングモジュール６１０によって実行され得る。
【０１１２】
[0119]ブロック１６２０において、基地局１０５は、図２〜図４を参照しながら説明したように、ＨＡＲＱタイミングに少なくとも部分的に基づいてＨＡＲＱ応答メッセージを送信し得る。いくつかの例では、ブロック１６２０の動作は、図６を参照しながら説明したように、ＨＡＲＱ応答モジュール６１５によって実行され得る。
【０１１３】
[0120]図１７に、本開示の様々な態様による、異なるＨＡＲＱタイミングを用いる低レイテンシ動作のための方法１７００を示すフローチャートを示す。方法１７００の動作は、図１〜図９を参照しながら説明したように、基地局１０５またはそれの構成要素によって実施され得る。たとえば、方法１７００の動作は、図５〜図８を参照しながら説明したように、低レイテンシＨＡＲＱタイミングモジュール５１０によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する態様機能を実行し得る。方法１７００はまた、図１０〜図１６の方法１０００、１１００、１２００、１３００、１４００、１５００、および１６００の態様を組み込み得る。
【０１１４】
[0121]ブロック１７０５において、基地局１０５は、図２〜図４を参照しながら説明したように、ＵＥに関連するタイミングアドバンスパラメータと処理パラメータとを識別し得る。いくつかの例では、ブロック１７０５の動作は、図６を参照しながら説明したように、タイミングパラメータモジュール６０５によって実行され得る。
【０１１５】
[0122]ブロック１７１０において、基地局１０５は、図２〜図４を参照しながら説明したように、タイミングアドバンスパラメータまたは処理パラメータ、あるいはその両方に少なくとも部分的に基づいてＨＡＲＱタイミングを決定し得る。いくつかの例では、ブロック１７１０の動作は、図６を参照しながら説明したように、ＨＡＲＱタイミングモジュール６１０によって実行され得る。
【０１１６】
[0123]ブロック１７１５において、基地局１０５は、図２〜図４を参照しながら説明したように、ＵＥにデータパケットを送信し得る。いくつかの例では、ブロック１７１５の動作は、図５を参照しながら説明したように、送信機５１５によって実行され得る。
【０１１７】
[0124]ブロック１７２０において、基地局１０５は、ＨＡＲＱタイミングに従ってＵＥからＡＣＫまたはＮＡＣＫを受信し得、したがって、ＨＡＲＱ応答メッセージは、図２〜図４を参照しながら説明したように、受信されたＡＣＫまたはＮＡＣＫに少なくとも部分的に基づくデータパケットの再送信である。いくつかの例では、ブロック１７２０の動作は、図６を参照しながら説明したように、ＨＡＲＱ応答モジュール６１５によって実行され得る。
【０１１８】
[0125]ブロック１７２５において、基地局１０５は、図２〜図４を参照しながら説明したように、ＨＡＲＱタイミングに少なくとも部分的に基づいてＨＡＲＱ応答（すなわち、再送信）メッセージを送信し得る。いくつかの例では、ブロック１７２５の動作は、図６を参照しながら説明したように、ＨＡＲＱ応答モジュール６１５によって実行され得る。
【０１１９】
[0126]したがって、方法１０００、１１００、１２００、１３００、１４００、１５００、１６００、および１７００は、異なるＨＡＲＱタイミングを用いる低レイテンシ動作を与え得る。方法１０００、１１００、１２００、１３００、１４００、１５００、１６００、および１７００は可能な実装形態について説明していること、ならびに動作およびステップは、他の実装形態が可能であるように、並べ替えられるかまたは別の方法で変更され得ることに留意されたい。いくつかの例では、方法１０００、１１００、１２００、１３００、１４００、１５００、１６００、および１７００のうちの２つ以上からの態様が組み合わされ得る。
【０１２０】
[0127]本明細書の説明は例を与えるものであり、特許請求の範囲に記載される範囲、適用可能性、または例を限定するものではない。本開示の範囲から逸脱することなく、説明する要素の機能および構成において変更が行われ得る。様々な例は、適宜に、様々な手順または構成要素を省略、置換、または追加し得る。また、いくつかの例に関して説明した特徴は、他の例において組み合わされ得る。
【０１２１】
[0128]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語はしばしば互換的に使用される。符号分割多元接続（ＣＤＭＡ）システムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形態とを含む。時分割多元接続（ＴＤＭＡ）システムは、モバイル通信用グローバルシステム（ＧＳＭ（登録商標）：Global System for Mobile Communications）などの無線技術を実装し得る。直交周波数分割多元接続（ＯＦＤＭＡ）システムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡはユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−ａ、およびモバイル通信用グローバルシステム（ＧＳＭ）は、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術ならびに他のシステムおよび無線技術に使用され得る。ただし、本明細書の説明では、例としてＬＴＥシステムについて説明し、上記の説明の大部分においてＬＴＥ用語が使用されるが、本技法はＬＴＥ適用例以外に適用可能である。
【０１２２】
[0129]本明細書で説明するそのようなネットワークを含むＬＴＥ／ＬＴＥ−ａネットワークでは、発展型ノードＢ（ｅＮＢ）という用語は、概して、基地局を表すために使用され得る。本明細書で説明する１つまたは複数のワイヤレス通信システムは、異なるタイプの発展型ノードＢ（ｅＮＢ）が様々な地理的領域にカバレージを与える、異種ＬＴＥ／ＬＴＥ−ａネットワークを含み得る。たとえば、各ｅＮＢまたは基地局は、マクロセル、スモールセル、または他のタイプのセルに通信カバレージを提供し得る。「セル」という用語は、状況に応じて、基地局、基地局に関連するキャリアもしくはコンポーネントキャリア、またはキャリアもしくは基地局のカバレージエリア（たとえば、セクタなど）を記述するために使用され得る３ＧＰＰ用語である。
【０１２３】
[0130]基地局は、基地トランシーバ局、無線基地局、アクセスポイント、無線トランシーバ、ノードＢ、ｅノードＢ（ｅＮＢ）、ホームｅノードＢ、ホームｅノードＢ、または何らかの他の適切な用語を含み得るか、またはそのように当業者によって呼ばれることがある。基地局のための地理的カバレージエリアは、カバレージエリアの一部分のみを構成するセクタに分割され得る。本明細書で説明する１つまたは複数のワイヤレス通信システムは、異なるタイプの基地局（たとえば、マクロセル基地局またはスモールセル基地局）を含み得る。本明細書で説明するＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１２４】
[0131]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと同じまたは異なる（たとえば、認可、無認可などの）周波数帯域で動作し得る、マクロセルと比較して低電力の基地局である。スモールセルは、様々な例によれば、ピコセルと、フェムトセルと、マイクロセルとを含み得る。ピコセルは、たとえば、小さい地理的エリアをカバーすることができ、ネットワークプロバイダのサービスに加入しているＵＥによる無制限アクセスを可能にすることができる。また、フェムトセルは、小さい地理的エリア（たとえば、自宅）をカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１２５】
[0132]本明細書で説明するワイヤレス通信システムは、同期動作または非同期動作をサポートし得る。同期動作の場合、基地局は、同様のフレームタイミングを有し得、異なる基地局からの送信は、時間的にほぼ整合され得る。非同期動作の場合、基地局は異なるフレームタイミングを有し得、異なる基地局からの送信は時間的に整合されないことがある。本明細書で説明する技法は、同期動作または非同期動作のいずれかに使用され得る。
【０１２６】
[0133]本明細書で説明するダウンリンク送信は順方向リンク送信と呼ばれることもあり、アップリンク送信は逆方向リンク送信と呼ばれることもある。たとえば、図１および図２のワイヤレス通信システム１００および２００を含む、本明細書で説明する各通信リンクは１つまたは複数のキャリアを含み得、ここで、各キャリアは、複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。本明細書で説明する通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０１２７】
[0134]添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造およびデバイスがブロック図の形式で示される。
【０１２８】
[0135]添付の図では、同様の構成要素または特徴は同じ参照ラベルを有し得る。さらに、同じタイプの様々な構成要素が、参照ラベルの後に、ダッシュと、同様の構成要素を区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【０１２９】
[0136]本明細書で説明する情報および信号は、多種多様な技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１３０】
[0137]本明細書の開示に関して説明した様々な例示的なブロックおよびモジュールは、汎用プロセッサ、ＤＳＰ、ＡＳＩＣ、ＦＰＧＡもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ（たとえば、デジタル信号プロセッサ（ＤＳＰ）とマイクロプロセッサの組合せ、複数のマイクロプロセッサ、ＤＳＰコアと連携する１つもしくは複数のマイクロプロセッサ、または任意の他のそのような構成）として実装され得る。
【０１３１】
[0138]本明細書で説明する機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的位置において実装されるように分散されることを含めて、様々な場所に物理的に位置し得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１３２】
[0139]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る任意の他の非一時的媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記のものの組合せもコンピュータ可読媒体の範囲内に含まれる。
【０１３３】
[0140]本明細書の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
ワイヤレス通信の方法であって、
ユーザ機器（ＵＥ）に関連するタイミングアドバンスパラメータまたは処理パラメータのうちの少なくとも１つを識別することと、
前記タイミングアドバンスパラメータまたは前記処理パラメータ、あるいはその両方に少なくとも部分的に基づいてハイブリッド自動再送要求（ＨＡＲＱ）タイミングを決定することと、
前記ＨＡＲＱタイミングに少なくとも部分的に基づいてＨＡＲＱ応答メッセージを送信することと
を備える、方法。
［Ｃ２］
サービングセルにタイミングアドバンス更新メッセージを送信すること、ここにおいて、前記ＨＡＲＱタイミングが、前記タイミングアドバンス更新メッセージに少なくとも部分的に基づいて決定される、
をさらに備える、Ｃ１に記載の方法。
［Ｃ３］
前記処理パラメータが、前記ＵＥの処理能力または前記ＵＥの処理負荷、あるいはその両方に関連付けられる、Ｃ１に記載の方法。
［Ｃ４］
サービングセルから前記ＨＡＲＱタイミングを示すシグナリングを受信すること、ここにおいて、前記ＨＡＲＱタイミングが、前記シグナリングに少なくとも部分的に基づいて決定される、
をさらに備える、Ｃ１に記載の方法。
［Ｃ５］
サービングセルにＨＡＲＱタイミング選好を送信すること、ここにおいて、前記ＨＡＲＱタイミングが、前記ＨＡＲＱタイミング選好に少なくとも部分的に基づいて決定される、
をさらに備える、Ｃ１に記載の方法。
［Ｃ６］
タイミングアドバンスしきい値のセットを識別すること、ここにおいて、前記ＨＡＲＱタイミングが、前記タイミングアドバンスしきい値のセットに少なくとも部分的に基づいて決定される、
をさらに備える、Ｃ１に記載の方法。
［Ｃ７］
タイミングアドバンスしきい値の前記セットが、ヒステリシス値を備える、ここにおいて、前記タイミングアドバンスパラメータが、前記ヒステリシス値に少なくとも部分的に基づいて設定継続時間オフセットに制限される、Ｃ６に記載の方法。
［Ｃ８］
ＨＡＲＱ同期誤差を決定することと、
前記ＨＡＲＱ同期誤差決定に少なくとも部分的に基づいてデフォルトＨＡＲＱタイミングを選択することと
をさらに備える、Ｃ１に記載の方法。
［Ｃ９］
前記ＵＥからランダムアクセスチャネル（ＲＡＣＨ）メッセージを受信すること、ここにおいて、前記タイミングアドバンスパラメータが、前記ＲＡＣＨメッセージに少なくとも部分的に基づいて識別される、
をさらに備える、Ｃ１に記載の方法。
［Ｃ１０］
前記ＵＥに前記ＨＡＲＱタイミングを示すシグナリングを送信すること
をさらに備える、Ｃ１に記載の方法。
［Ｃ１１］
前記シグナリングが、ランダムアクセス許可、前記タイミングアドバンスパラメータ、前記ＨＡＲＱタイミング、またはそれらの任意の組合せを備える、Ｃ１０に記載の方法。
［Ｃ１２］
前記ＵＥからＨＡＲＱタイミング選好を受信すること、ここにおいて、前記ＨＡＲＱタイミングが、前記ＨＡＲＱタイミング選好に少なくとも部分的に基づいて決定される、
をさらに備える、Ｃ１に記載の方法。
［Ｃ１３］
前記ＵＥにデータパケットを送信することと、
前記ＨＡＲＱタイミングに従って前記ＵＥから肯定応答（ＡＣＫ）または否定応答（ＮＡＣＫ）を受信することと、ここにおいて、前記ＨＡＲＱ応答メッセージが、前記受信されたＡＣＫまたはＮＡＣＫに少なくとも部分的に基づく前記データパケットの再送信である、
をさらに備える、Ｃ１に記載の方法。
［Ｃ１４］
前記タイミングアドバンスパラメータが、過去のタイミングアドバンスコマンドまたはスケジューリング要求、あるいはその両方に少なくとも部分的に基づいて識別される、Ｃ１に記載の方法。
［Ｃ１５］
前記ＨＡＲＱタイミングが低レイテンシ動作に少なくとも部分的に基づく、Ｃ１に記載の方法。
［Ｃ１６］
前記低レイテンシ動作が、送信時間間隔（ＴＴＩ）継続時間に少なくとも部分的に基づく、Ｃ１５に記載の方法。
［Ｃ１７］
前記ＨＡＲＱタイミングが、構成されたコンポーネントキャリア（ＣＣ）の数、スケジュールされたＣＣの数、構成されたＣＣの帯域幅、スケジュールされたＣＣの帯域幅、またはそれらの任意の組合せに少なくとも部分的に基づく、Ｃ１に記載の方法。
［Ｃ１８］
ワイヤレス通信のための装置であって、
ユーザ機器（ＵＥ）に関連するタイミングアドバンスパラメータまたは処理パラメータのうちの少なくとも１つを識別するための手段と、
前記タイミングアドバンスパラメータまたは前記処理パラメータ、あるいはその両方に少なくとも部分的に基づいてハイブリッド自動再送要求（ＨＡＲＱ）タイミングを決定するための手段と、
前記ＨＡＲＱタイミングに少なくとも部分的に基づいてＨＡＲＱ応答メッセージを送信するための手段と
を備える、装置。
［Ｃ１９］
サービングセルにタイミングアドバンス更新メッセージを送信するための手段、ここにおいて、前記ＨＡＲＱタイミングが、前記タイミングアドバンス更新メッセージに少なくとも部分的に基づいて決定される、
をさらに備える、Ｃ１８に記載の装置。
［Ｃ２０］
前記処理パラメータが、前記ＵＥの処理能力または前記ＵＥの処理負荷、あるいはその両方に関連付けられる、Ｃ１８に記載の装置。
［Ｃ２１］
サービングセルから前記ＨＡＲＱタイミングを示すシグナリングを受信するための手段、ここにおいて、前記ＨＡＲＱタイミングが、前記シグナリングに少なくとも部分的に基づいて決定される、
をさらに備える、Ｃ１８に記載の装置。
［Ｃ２２］
前記ＵＥからランダムアクセスチャネル（ＲＡＣＨ）メッセージを受信するための手段、ここにおいて、前記タイミングアドバンスパラメータが、前記ＲＡＣＨメッセージに少なくとも部分的に基づいて識別される、
をさらに備える、Ｃ１８に記載の装置。
［Ｃ２３］
前記ＵＥに前記ＨＡＲＱタイミングを示すシグナリングを送信するための手段
をさらに備える、Ｃ１８に記載の装置。
［Ｃ２４］
ワイヤレス通信のための装置であって、
プロセッサと、
前記プロセッサと電子通信しているメモリと、
前記メモリに記憶され、前記プロセッサによって実行されたとき、前記装置に、
ユーザ機器（ＵＥ）に関連するタイミングアドバンスパラメータまたは処理パラメータのうちの少なくとも１つを識別することと、
前記タイミングアドバンスパラメータまたは前記処理パラメータ、あるいはその両方に少なくとも部分的に基づいてハイブリッド自動再送要求（ＨＡＲＱ）タイミングを決定することと、
前記ＨＡＲＱタイミングに少なくとも部分的に基づいてＨＡＲＱ応答メッセージを送信することと
を行わせるように動作可能な命令と
を備える、装置。
［Ｃ２５］
前記命令が、前記装置に、
サービングセルにタイミングアドバンス更新メッセージを送信すること、ここにおいて、前記ＨＡＲＱタイミングが、前記タイミングアドバンス更新メッセージに少なくとも部分的に基づいて決定される、
を行わせるように前記プロセッサによってさらに実行可能である、Ｃ２４に記載の装置。
［Ｃ２６］
前記処理パラメータが、前記ＵＥの処理能力または前記ＵＥの処理負荷、あるいはその両方に関連付けられる、Ｃ２４に記載の装置。
［Ｃ２７］
前記命令が、前記装置に、
サービングセルから前記ＨＡＲＱタイミングを示すシグナリングを受信すること、ここにおいて、前記ＨＡＲＱタイミングが、前記シグナリングに少なくとも部分的に基づいて決定される、
を行わせるように前記プロセッサによってさらに実行可能である、Ｃ２４に記載の装置。
［Ｃ２８］
前記命令が、前記装置に、
前記ＵＥからランダムアクセスチャネル（ＲＡＣＨ）メッセージを受信すること、ここにおいて、前記タイミングアドバンスパラメータが、前記ＲＡＣＨメッセージに少なくとも部分的に基づいて識別される、
を行わせるように前記プロセッサによってさらに実行可能である、Ｃ２４に記載の装置。
［Ｃ２９］
前記命令が、前記装置に、
前記ＵＥに前記ＨＡＲＱタイミングを示すシグナリングを送信すること
を行わせるように前記プロセッサによってさらに実行可能である、Ｃ２４に記載の装置。
［Ｃ３０］
ワイヤレス通信のためのコードを記憶する非一時的コンピュータ可読媒体であって、前記コードが、
ユーザ機器（ＵＥ）に関連するタイミングアドバンスパラメータまたは処理パラメータのうちの少なくとも１つを識別することと、
前記タイミングアドバンスパラメータまたは前記処理パラメータ、あるいはその両方に少なくとも部分的に基づいてハイブリッド自動再送要求（ＨＡＲＱ）タイミングを決定することと、
前記ＨＡＲＱタイミングに少なくとも部分的に基づいてＨＡＲＱ応答メッセージを送信することと
を行うように実行可能な命令を備える、非一時的コンピュータ可読媒体。
【図１】
0006797830.tif 000002
【図２】
0006797830.tif 000003
【図３Ａ】
0006797830.tif 000004
【図３Ｂ】
0006797830.tif 000005
【図４】
0006797830.tif 000006
【図５】
0006797830.tif 000007
【図６】
0006797830.tif 000008
【図７】
0006797830.tif 000009
【図８】
0006797830.tif 000010
【図９】
0006797830.tif 000011
【図１０】
0006797830.tif 000012
【図１１】
0006797830.tif 000013
【図１２】
0006797830.tif 000014
【図１３】
0006797830.tif 000015
【図１４】
0006797830.tif 000016
【図１５】
0006797830.tif 000017
【図１６】
0006797830.tif 000018
【図１７】
0006797830.tif 000019